(57)【要約】［課題］本発明は、液晶層に着目して、フリッカーが低減・抑制され、かつ低消費電力で駆動する液晶表示素子を提供することを目的とする。［解決手段］第１の透明基板と、前記第１の透明基板と対向配置された第２の透明基板と、前記第１の透明基板と第２の透明基板との間に設けられた液晶組成物を含有する液晶層と、前記第１の透明基板上に配置される画素電極と、前記画素電極への画像信号のフレーム周波数を５９Ｈｚ以下０Ｈｚ超の範囲に制御する表示処理部と、を有し、  前記液晶組成物中の特定の液晶化合物を含有することを特徴とする、液晶表示素子。【特許請求の範囲】
【請求項１】
第一の透明基板と、
前記第一の透明基板と対向配置された第二の透明基板と、
前記第一の透明基板と第二の透明基板との間に充填された液晶組成物を含有する液晶層と、
前記第一の透明基板上に配置される画素電極と、
前記画素電極への画像信号のフレーム周波数を０Ｈｚ超５９Ｈｚ以下の範囲に制御する表示処理部と、を有し
前記液晶組成物が、下記一般式（ｉ）：
【化１】
2017221724.tif 000072
（上記式中、Ｒｉ１およびＲｉ２はそれぞれ独立して、炭素原子数１〜１０のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
Ａｉ１およびＡｉ２はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
（ｃ）１，４−シクロヘキセニレン基
からなる群より選ばれる基を表し、上記の基（ａ）、基（ｂ）及び基（ｃ）はそれぞれ独立してシアノ基、フッ素原子又は塩素原子で置換されていても良く、
Ｚｉ１およびＺｉ２はそれぞれ独立して、単結合、−ＯＣＨ２−、−ＣＨ２Ｏ−、−ＯＣＦ２−、−ＣＦ２Ｏ−、−ＣＨ２ＣＨ２−又は−ＣＦ２ＣＦ２−を表わし、
ｍｉ１およびｍｉ２はそれぞれ独立して、０〜３の整数を表すが、ｍｉ１＋ｍｉ２はそれぞれ独立して１、２又は３であり、Ａｉ１〜Ａｉ２、Ｚｉ１〜Ｚｉ２が複数存在する場合は、それらは同一であっても異なっていても良い。）で表される化合物群から選ばれる化合物を１種又は２種以上含有する液晶表示素子。
【請求項２】
第１のフレーム周波数で駆動する第１の駆動モードと、
間欠駆動による休止期間が設けられた第２の駆動モードと、を有し、前記第１の駆動モードと第２の駆動モードとを前記表示処理部で切り替える、請求項１に記載の液晶表示素子。
【請求項３】
第１のフレーム周波数で駆動する第１の駆動モードと、
前記第１のフレーム周波数より低い第２のフレーム周波数で駆動する第３の駆動モードと、を有し、前記第１の駆動モードと第３の駆動モードとを前記表示処理部で切り替える、請求項１に記載の液晶表示素子。
【請求項４】
前記液晶層と、前記第一の透明基板と前記第二の透明基板のそれぞれの間にホモジニアス配向を誘起する配向膜層を有し、各配向膜の配向方向は第一のまたは第二の透明基板に対して平行であり、前記第１の基板上に共通電極が配置されることを特徴とする、請求項１〜３のいずれか１項に記載の液晶表示素子。
【請求項５】
前記画素電極と共通電極との間の電極間距離：Ｒが前記第一の基板と第二の基板との距離：Ｇより小さく、前記画素電極と共通電極との電極間にフリンジ電界を形成することを特徴とする、請求項１〜４のいずれか１項に記載の液晶表示素子。
【請求項６】
前記液晶層と、前記第一の透明基板と前記第二の透明基板のそれぞれの間に配向膜層を有し、前記第２の基板上に共通電極が配置されることを特徴とする、請求項１に記載の液晶表示素子。
【請求項７】
更に、一般式（ｉｉｉ）
【化２】
2017221724.tif 000073
（式中、Ｒｉｉｉ１及びＲｉｉｉ２はそれぞれ独立して炭素原子数１〜８のアルキル基を表し、該基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−又は−ＯＣＦ２−で置換されてよく、該基中の１つ又は２つ以上の水素原子はそれぞれ独立してフッ素原子又は塩素原子に置換されても良く、Ａｉｉｉ１〜Ａｉｉｉ３はそれぞれ独立して
（ａ）１，４−シクロへキシレン基（該基中に存在する１個の−ＣＨ２−又は隣接していない２個以上の−ＣＨ２−は−Ｏ−又は−Ｓ−に置換されても良い。）
（ｂ）１，４−フェニレン基（該基中に存在する１個の−ＣＨ＝又は隣接していない２個以上の−ＣＨ＝は−Ｎ＝に置換されても良く、該基中に存在する水素原子はフッ素原子又は塩素原子に置換されても良いが、隣接する−ＣＨ＝の少なくともいずれか一方は水素原子を表す。）
からなる群より選ばれる基を表し、Ｚｉｉｉ１及びＺｉｉｉ２はそれぞれ独立して単結合、−ＣＨ＝ＣＨ−、−Ｃ≡Ｃ−、−ＣＨ２ＣＨ２−、−（ＣＨ２）４−、−ＯＣＨ２−、−ＣＨ２Ｏ−、−ＯＣＦ２−又は−ＣＦ２Ｏ−を表し、ｍｉｉｉ１は０〜２の整数を表し、Ａｉｉｉ１及びＺｉｉｉ１が複数存在する場合、それらは同一であっても、異なっていてもよい。但し、一般式（ｉ）で表される化合物は除く。）で表される化合物を１種又は２種以上含有する請求項１〜４記載の液晶表示素子。
【発明の詳細な説明】
【技術分野】
【０００１】
本発明は液晶表示素子に関する。
【背景技術】
【０００２】
時計、電卓、各種測定機器、自動車用パネル、プリンター、コンピューター、テレビ、時計および広告表示板等に用いられるようになっている液晶表示素子の表示方式としては、代表的なものにＴＮ（ツイステッド・ネマチック）型、ＳＴＮ（スーパー・ツイステッド・ネマチック）型、ＴＦＴ（薄膜トランジスタ）を用いたＶＡ（以下、垂直配向とも称する）型やＩＰＳ（イン・プレーン・スイッチング）型、ＦＦＳ（フリンジ・フィールド・スイッチング）等がある。ＰＣモニターなどで広く用いられている液晶表示素子としては、ＴＮ型、ＳＴＮ型が挙げられ、液晶ＴＶなどで広く用いられる液晶表示素子の表示方式としては、ＶＡ型、ＩＰＳ型が挙げられ、スマートフォンやタブレットなどで広く用いられる液晶表示素子の表示方式としては、ＩＰＳ型、ＦＦＳ型が挙げられる。これら全ての駆動方式において低電圧駆動、高速応答、広い動作温度範囲を示す液晶表示素子が求められている。【０００３】
なかでも低電圧駆動の一つテーマとして、低消費電力で駆動する液晶表示素子が昨今の省エネルギー推進の社会事情やスマートフォンなどの普及から注目されている。現在のところ、低消費電力化を図る手段として、液晶表示素子の駆動周波数を標準状態より低減する低周波駆動や、１フレーム期間の書き込みを行った後に休止期間を設ける間欠駆動が提案されている。しかしながら、書き込み期間から休止期間への切り替わり時に電圧が大きく変化して画素電位が大きく変動するため、休止期間における表示輝度と次フレーム期間の書き込み期間における表示輝度との差が大きくなることに起因して、特にフレーム期間の切り替わり時にフリッカーが生じ、表示品位が低下する問題が生じることが確認されている。【０００４】
このようなフリッカーの原因としては、液晶分子のフレクソ分極に起因するフリッカーやリーク電流に起因するフリッカーなど種々の要因が複雑に関係していると考えられている。【０００５】
例えば、フレクソ分極に起因するフリッカーを例に説明すると、液晶表示素子は、液晶層に長時間直流電圧を印加すると、チャージアップにより表示特性に経時的変化が生じるため、１フレーム毎に正負極性を反転させるフレーム駆動が一般的である。画素電極と対向電極との間の電位差にのみ基づいて液晶分子の配向状態を制御することが理想であるが、実際には、画素電極の端部に強電界が作用するため液晶分子が逆分極し、電界の極性を反転したときこの分極（フレクソ分極）が瞬時に反応するため輝度変動によりフリッカーが発生する。【０００６】
フレクソ分極に起因したフリッカーを低減する技術として特許文献１がある。当該特許文献１では、液晶表示素子に使用される液晶のフレクソ係数（ｅ１１、ｅ３３）の絶対値を１．６ｐＣ／ｍ以下にすることで対称成分、反対称成分の双方の輝度振幅を低減することでフリッカーを低減できると開示されている。【０００７】
また、リーク電流に起因するフリッカーを例に説明すると、液晶表示素子に対する駆動電力を供給する時間が短くなると、外部からの電力の供給が無い期間（休止期間または低周波数の谷の状態）に、画素電極やＴＦＴのチャンネルをリーク電流が流れるため、液晶に印加している画素電圧が経時的に低下する。その結果、液晶分子の配向方向が経時的に変化するため輝度が低下し、１フレームごとに輝度が低下する状態で画像を再生すると、フリッカーが発生する。【０００８】
ＴＦＴのリーク電流に起因したフリッカーを低減する技術として、特許文献２がある。当該特許文献２では、オフリーク電流の数値範囲、液晶表示素子に使用される液晶や配向膜の抵抗率の数値範囲をそれぞれ規定し、かつ当該数値範囲が所定の関係で成立すると、１フレーム内の輝度変動を低減できると開示されている。
【先行技術文献】
【特許文献】
【０００９】
【特許文献１】特開２０１５−３１８７７号
【特許文献２】特開２０１５−７５７２３号
【発明の概要】
【発明が解決しようとする課題】
【００１０】
上記特許文献１では、フリッカーの原因として液晶分子のフレクソ係数（ｅ１１、ｅ３３）に着目しているが、フリッカーの原因は種々の要因が複雑に関係するだけでなく、一般に液晶層に使用される液晶組成物は、誘電率異方性が負の化合物（ポーラー成分）と、誘電率異方性が中性の化合物（ノンポーラ成分）との２つの成分が混在し、かつ液晶組成物全体として数種類から数十種類の液晶化合物が含まれている。そのため、実際にフレクソ分極に寄与する液晶化合物は、液晶組成物の一部の誘電率異方性が負の化合物（ポーラー成分）であるため、上記特許文献１のように液晶層を構成する液晶分子の分極を理論通り平均化できず、フリッカーの低減・抑制に効果が発揮されないのが現状である。【００１１】
また、上記特許文献２では、１フレーム内の輝度変化率の絶対値を０．０３以下に低減するとフリッカーが視認されないとして、液晶及び配向膜のインピーダンス不整合による輝度の増加によって補償するとしているがオフリーク電流自体をフリッカーの原因は種々の要因が複雑に関係するだけでなく、上記引用文献２では液晶の抵抗と容量、配向膜の抵抗と容量の関係だけを規定しており、液晶層に使用されている化合物の特性や種類および液晶層の電圧保持率の低下などを考慮していないため、フリッカーの低減・抑制に効果が発揮されない。また、液晶表示装置は、バックライトから常に光が照射されていることから液晶層の経時的な劣化による問題も生じることが確認された。【００１２】
そこで、本発明の態様は、特定の負の誘電率異方性を示す液晶化合物を含む液晶組成物を備えた液晶層により、低消費電力駆動とフリッカーの低減・抑制とを両立することを目的とする。
【発明の効果】
【００１３】
本発明に係る液晶表示素子は、低消費電力駆動とフリッカーの低減・抑制とを両立する。
【図面の簡単な説明】
【００１４】
【図１】本発明の液晶表示素子（液晶表示部）の構成の一例を模式的に示す図である。
【図２】液晶表示部の電極層３の構造を模式的に示す図であり、画素部分を等価回路で示した模式図である。
【図３】液晶表示部の電極層３の構造を模式的に示す図であり、画素電極の形状の一例を示す模式図である。
【図４】液晶表示部の電極層３の構造を模式的に示す図であり、画素電極の形状の一例を示す模式図である。
【図５】液晶表示部の電極層３の構造を模式的に示す図であり、画素電極の形状の一例を示す模式図である。
【図６】図３または図４におけるＩＩＩ−ＩＩＩ線方向に図１に示す液晶表示素子を切断した断面図の他の例である。
【図７】図５におけるＩＩＩ−ＩＩＩ線方向に図１に示すＩＰＳ型の液晶表示部を切断した断面図である。
【図８】垂直配向型の液晶表示素子の液晶表示部の構成を模式的に示す図である。
【図９】図８における基板上に形成された薄膜トランジスタを含む電極層３（または薄膜トランジスタ層３とも称する。）のＩＩ線で囲まれた領域を拡大した平面図である。
【図１０】図１０は、図９におけるＩＩＩ−ＩＩＩ線方向に図８に示す液晶表示素子を切断した断面図である。
【図１１】図１１（Ａ）は、２ｍ行２ｎ列の画素電極における画像信号の書き換えの経時的変化を表す図である。図１１（Ｂ）は、２ｍ＋１行２ｎ＋１列の画素電極における画像信号の書き換えの経時的変化の一形態を表す図である。
【図１２】図１２（Ａ）は、２ｍ行２ｎ列の画素電極における画像信号の書き換えの経時的変化を表す図である。図１２（Ｂ）は、２ｍ＋１行２ｎ＋１列の画素電極における画像信号の書き換えの経時的変化の一形態を表す図である。
【図１３】図１３（Ａ）は、２ｍ行２ｎ列の画素電極における画像信号の書き換えの経時的変化を表す図である。図１３（Ｂ）は、２ｍ＋１行２ｎ＋１列の画素電極における画像信号の書き換えの経時的変化の一形態を表す図である。
【発明を実施するための最良の形態】
【００１５】
本発明の第一は、第一の透明基板と、前記第一の透明基板と対向配置された第二の透明基板と、前記第一の透明基板と第二の透明基板との間に充填された液晶組成物を含有する液晶層と、前記第一の透明基板上に配置される画素電極と、前記画素電極への画像信号のフレーム周波数を０Ｈｚ超５９Ｈｚ以下の範囲に制御する表示処理部と、を有し、前記液晶組成物が、下記一般式（ｉ）：【００１６】
【化１】
2017221724.tif 000002
【００１７】
（上記式中、Ｒｉ１およびＲｉ２はそれぞれ独立して、炭素原子数１〜１０のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
Ａｉ１およびＡｉ２はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
（ｃ）  １，４−シクロヘキセニレン基
からなる群より選ばれる基を表し、上記の基（ａ）、基（ｂ）及び基（ｃ）はそれぞれ独立してシアノ基、フッ素原子又は塩素原子で置換されていても良く、
Ｚｉ１およびＺｉ２はそれぞれ独立して、単結合、−ＯＣＨ２−、−ＣＨ２Ｏ−、−ＯＣＦ２−、−ＣＦ２Ｏ−、−ＣＨ２ＣＨ２−又は−ＣＦ２ＣＦ２−を表わし、
ｍｉ１およびｍｉ２はそれぞれ独立して、０〜３の整数を表すが、ｍｉ１＋ｍｉ２はそれぞれ独立して１、２又は３であり、Ａｉ１〜Ａｉ２、Ｚｉ１〜Ｚｉ２が複数存在する場合は、それらは同一であっても異なっていても良い。）で表される化合物群から選ばれる化合物を１種又は２種以上含有する液晶表示素子である。【００１８】
これにより、低周波駆動や間欠駆動を行った際に発生するフリッカーを抑制・防止することができる。【００１９】
本発明に係る液晶表示素子は、液晶表示部（いわゆる液晶パネル）と、表示処理部とを有することが好ましい。前記液晶表示部は、後述の図１〜１０などで説明するように、画素毎に画素電極および薄膜トランジスタを含む駆動回路が配設された駆動基板と、対向基板との間に液晶層を封止したものである。【００２０】
また、表示処理部は、映像信号に対してフレームレート変換などの処理を行い、その処理結果に応じてバックライトおよび液晶表示部を制御するものである。【００２１】
以下、本発明に係る液晶表示素子の液晶表示部および液晶層の説明を行った後、図面に基づいて表示処理部の動作および作用を説明する。【００２２】
本発明に係る液晶表示素子の液晶表示部の一実施形態を説明する。図１は、液晶表示素子の液晶表示部の構成を模式的に示す図である。図１では、説明のために便宜上各構成要素を離間して記載している。本発明に係る液晶表示素子１０は、図１に記載するように、対向に配置された第１の（透明絶縁）基板（透明基板とも称する）２と、第２の（透明絶縁）基板７との間に挟持された液晶組成物（または液晶層５）を有する液晶表示素子である。第１の（透明絶縁）基板２は、液晶層５側の面に電極層３が形成されている。また、液晶層５と、第１の（透明絶縁）基板２及び第２の（透明絶縁）基板７のそれぞれの間に、配向膜４が設けられており、当該配向膜４により電圧無印加時に該液晶組成物中の液晶分子が記基板２，７に対して所定方向に配向することができる。さらに図１では、電極層３として画素電極（図示せず）と共通電極（図示せず）とが第１の基板２側に設けられているが、画素電極を第１の基板２に設け、共通電極を第２の基板７に設けてもよい。【００２３】
図１では、一対の偏光板１，８により前記第２の基板７および前記第１の基板２を挟持した形態を記載しているが、偏光板１，８を設ける位置はこの図に限定される訳ではない。さらに、図１では、前記第２の基板７と配向膜４との間にカラーフィルタ６が設けられている。なお、本発明に係る液晶表示素子の形態としては、いわゆるカラーフィルタオンアレイ（ＣＯＡ）であってもよく、電極層３と液晶相５の間にカラーフィルタ６を設けても、または当該電極層３と第１の基板２との間にカラーフィルタを設けてもよい。また、必要により、オーバコート層（図示せず）を、カラーフィルタ層６を覆って設けることで、カラーフィルタ層に含まれる物質が液晶層へ流出することを防止してもよい。【００２４】
図１〜７では説明上、本発明の液晶表示素子の好適な実施形態として、液晶層５と第１の基板２との間および液晶層５と前記第２の基板７との間にそれぞれの第１の基板および第２の基板上に配向膜４が液晶層５と当接するように形成された例を記載しているが、本発明の液晶表示素子は、第１の基板２または第２の基板７上の少なくとも一方に配向膜４が形成されていればよい。例えば、液晶層５と第１の基板２との間に配向膜４が前記第１の基板２上に液晶層５と当接するように形成されている場合、他方の液晶層５と第２の基板７との間には、配向膜を設けなくてもよい。【００２５】
すなわち、本発明に係る液晶表示素子１０は、第１の基板２と、電極層３と、配向膜４と、液晶組成物を含む液晶層５と、配向膜４と、カラーフィルタ６と、第２の基板７と、が順次積層された構成を含むことが好ましい。【００２６】
第１の基板２と第２の基板７はガラス又はプラスチックの如き柔軟性をもつ材料を用いることができ、少なくとも一方は透明な材料であり、他方は透明な材料であっても、金属やシリコン等の不透明な材料でも良い。２枚の基板は、周辺領域に配置されたエポキシ系熱硬化性組成物等のシール材及び封止材によって貼り合わされていて、その間には基板間距離を保持するために、例えば、ガラス粒子、プラスチック粒子、アルミナ粒子等の粒状スペーサーまたはフォトリソグラフィー法により形成された樹脂からなるスペーサー柱が配置されていてもよい。【００２７】
図２は、液晶表示部の電極層３の構造図の模式図を表し、より詳細には図２は、画素部分を等価回路で示した模式図であり、図３および４は画素電極の形状の一例を示す模式図である。また、図２〜図４では、本実施形態の一例として、網目状に配置された画素を含む液晶表示部を備えるＦＦＳ型の液晶表示素子である。当該液晶表示部に対して背面側から照明する照明手段としてバックライトを設けることで液晶表示装置として駆動する。当該バックライトの光源としては、発光ダイオードや冷陰極管を利用したものが挙げられる。【００２８】
当該図２において、本発明に係る電極層３は、共通電極および複数の画素電極を備えている。画素電極は、絶縁層（例えば、窒化シリコン（ＳｉＮ）など）を介して共通電極上に配置されている。画素電極は表示画素毎に配置され、スリット状の開口部が形成されている。共通電極と画素電極とは、例えばＩＴＯ（Ｉｎｄｉｕｍ Ｔｉｎ Ｏｘｉｄｅ）によって形成された透明電極であり、電極層３は、表示部において、複数の表示画素が配列する行に沿って延びるゲートバスラインＧＢＬ（ＧＢＬ１、ＧＢＬ２・・・ＧＢＬｍ）と、複数の表示画素が配列する列に沿って延びるソースバスラインＳＢＬ（ＳＢＬ１、ＳＢＬ２・・・ＳＢＬｍ）と、ゲートバスラインとソースバスラインとが交差する位置近傍に画素スイッチとして薄膜トランジスタを備えている。また、当該薄膜トランジスタのゲート電極は対応するゲートバスラインＧＢＬと電気的に接続されており、当該薄膜トランジスタのソース電極は対応する信号線ＳＢＬと電気的に接続されている。さらに、薄膜トランジスタのドレイン電極は、対応する画素電極と電気的に接続されている。【００２９】
電極層３は、複数の表示画素を駆動する駆動手段として、ゲートドライバとソースドライバとを備えており、前記ゲートドライバおよび前記ソースドライバは、液晶表示部の周囲に配置されている。また、複数のゲートバスラインはゲートドライバの出力端子と電気的に接続され、複数のソースバスラインはソースドライバの出力端子と電気的に接続されている。【００３０】
ゲートドライバは複数のゲートバスラインにオン電圧を順次印加して、選択されたゲートバスラインに電気的に接続された薄膜トランジスタのゲート電極にオン電圧を供給する。ゲート電極にオン電圧が供給された薄膜トランジスタのソース−ドレイン電極間が導通する。ソースドライバは、複数のソースバスラインのそれぞれに対応する出力信号を供給する。ソースバスラインに供給された信号は、ソース−ドレイン電極間が導通した薄膜トランジスタを介して対応する画素電極に印加される。ゲートドライバおよびソースドライバは、液晶表示素子の外部に配置された表示処理部（制御回路とも称する）により動作を制御される。【００３１】
本発明に係る表示処理部は、通常駆動のほかに駆動電力低減のために低周波駆動の機能と間欠駆動の機能とを備えており、ＴＦＴ液晶パネルのゲートバスラインを駆動するためのＬＳＩであるゲートドライバの動作およびＴＦＴ液晶パネルのソースバスラインを駆動するためのＬＳＩであるソースドライバの動作を制御するものである。また、共通電極に共通電圧ＶＣＯＭを供給し、バックライトの動作も制御している。【００３２】
図３は、画素電極の形状の一例として櫛形の画素電極を示した図であり、図１における基板２上に形成された電極層３のＩＩ線で囲まれた領域を拡大した平面図である。図３に示すように、第１の基板２の表面に形成されている薄膜トランジスタを含む電極層３は、走査信号を供給するための複数のゲートバスライン２６と表示信号を供給するための複数のソースバスライン２５とが、互いに交差してマトリクス状に配置されている。当該複数のゲートバスライン２６と当該複数のソースバスライン２５とにより囲まれた領域により、液晶表示装置の単位画素が形成され、該単位画素内には、画素電極２１及び共通電極２２が形成されている。ゲートバスライン２６とソースバスライン２５が互いに交差している交差部近傍には、ソース電極２７、ドレイン電極２４およびゲート電極２８を含む薄膜トランジスタが設けられている。この薄膜トランジスタは、画素電極２１に表示信号を供給するスイッチ素子として、画素電極２１と連結している。また、ゲートバスライン２６と並行して、共通ライン２９が設けられる。この共通ライン２９は、共通電極２２に共通信号を供給するために、共通電極２２と連結している。【００３３】
画素電極２１の背面には絶縁層１８（図示せず）を介して共通電極２２が一面に形成されている。そして、隣接する共通電極と画素電極との最短離間距離は配向層同士の最短離間距離（セルギャップ）より短い。前記画素電極の表面には保護絶縁膜及び配向膜層によって被覆されていることが好ましい。なお、前記複数のゲートバスライン２６と複数のソースバスライン２５とに囲まれた領域にはソースバスライン２５を介して供給される表示信号を保存するストレイジキャパシタ２３を設けてもよい。【００３４】
また、図４は、図３の変形例であり、画素電極の形状の一例としてスリット状の画素電極を示した図である。当該図４に示す画素電極２１は、略長方形の平板体の電極を、当該平板体の中央部および両端部が三角形状の切欠き部でくり抜かれ、その他の部分は略矩形枠状の切欠き部でくり抜かれた形状である。なお、切欠き部の形状は特に制限されるものではなく、楕円、円形、長方形状、菱形、三角形、または平行四辺形など公知の形状の切欠き部を使用できる。【００３５】
なお、図３および図４には、一画素における一対のゲートバスライン２６及び一対のソースバスライン２５のみが示されている。【００３６】
図６は、図３または図４におけるＩＩＩ−ＩＩＩ線方向に図１に示す液晶表示素子を切断した断面図の例の一つである。配向層４および薄膜トランジスタを含む電極層３が表面に形成された第１の基板２と、配向層４が表面に形成された第２の基板７とが所定の間隔Ｇで配向層同士向かい合うよう離間しており、この空間に液晶組成物を含む液晶層５が充填されている。第１の基板２の表面の一部にゲート絶縁膜１２、共通電極２２、絶縁膜１８、画素電極２１および配向層４の順で積層されている。【００３７】
薄膜トランジスタの構造の好適な一態様は、例えば、図６で示すように、基板２表面に形成されたゲート電極１１と、当該ゲート電極１１を覆い、且つ前記基板２の略全面を覆うように設けられたゲート絶縁層１２と、前記ゲート電極１１と対向するよう前記ゲート絶縁層１２の表面に形成された半導体層１３と、前記半導体層１３の表面の一部を覆うように設けられた保護膜１４と、前記保護層１４および前記半導体層１３の一方の側端部を覆い、かつ前記基板２表面に形成された前記ゲート絶縁層１２と接触するように設けられたドレイン電極１６と、前記保護膜１４および前記半導体層１３の他方の側端部を覆い、かつ前記基板２表面に形成された前記ゲート絶縁層１２と接触するように設けられたソース電極１７と、前記ドレイン電極１６および前記ソース電極１７を覆うように設けられた絶縁保護層１８と、を有している。ゲート電極１１の表面にゲート電極との段差を無くす等の理由により陽極酸化被膜（図示せず）を形成してもよい。【００３８】
図３及び図４に示す実施の形態では、共通電極２２はゲート絶縁層１２上のほぼ全面に形成された平板状の電極であり、一方、画素電極２１は共通電極２２を覆う絶縁保護層１８上に形成された櫛形の電極である。すなわち、共通電極２２は画素電極２１よりも第１の基板２に近い位置に配置され、これらの電極は絶縁保護層１８を介して互いに重なりあって配置される。画素電極２１と共通電極２２は、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＺＴＯ（Ｉｎｄｉｕｍ  Ｚｉｎｃ  Ｔｉｎ  Ｏｘｉｄｅ）等の透明導電性材料により形成される。画素電極２１と共通電極２２が透明導電性材料により形成されるため、単位画素面積で開口される面積が大きくなり、開口率及び透過率が増加する。【００３９】
また、画素電極２１と共通電極２２とは、これらの電極間にフリンジ電界を形成するために、画素電極２１と共通電極２２との間の電極間距離（最小離間距離とも称する）Ｒが、第１の基板２と第２の基板７との間の液晶層５の厚さＧより小さくなるように形成される。ここで、電極間距離Ｒは各電極間の基板に水平方向の距離を表す。図３では、平板状の共通電極２２と櫛形の画素電極２１とが重なり合っているため、最小離間距離（または電極間距離）：Ｒ＝０となる例が示されており、最小離間距離Ｒが第１の基板２と第２の基板７との間の液晶層の厚さ（セルギャップとも称される）：Ｇよりも小さくなるため、フリンジの電界Ｅが形成される。したがって、ＦＦＳ型の液晶表示素子は、画素電極２１の櫛形を形成するラインに対して垂直な方向に形成される水平方向の電界と、放物線状の電界を利用することができる。画素電極２１の櫛状部分の電極幅：ｌ、及び、画素電極２１の櫛状部分の間隙の幅：ｍは、発生する電界により液晶層５内の液晶分子が全て駆動され得る程度の幅に形成することが好ましい。また、画素電極と共通電極との最小離間距離Ｒは、ゲート絶縁膜１２の（平均）膜厚として調整することができる。【００４０】
本発明に係る液晶表示素子の液晶表示部のＦＦＳ型の変形例であるＩＰＳ型の液晶表示素子の例を図１、図５、図７を用いて説明する。ＩＰＳ型の液晶表示素子の構成は、上記図１のＦＦＳ型と同様に片側の基板上に電極層３（共通電極と画素電極とＴＦＴを含む）が設けられた構造であり、第１の偏光板１と、第１の基板２と、電極層３と、配向膜４と、液晶組成物を含む液晶層５と、配向膜４と、カラーフィルタ６と、第２の基板７と、第２の偏光板８と、が順次積層された構成である。【００４１】
図５は、ＩＰＳ型の液晶表示部における図１の第１の基板２上に形成された電極層３のＩＩ線で囲まれた領域の一部を拡大した平面図である。図５に示すように、走査信号を供給するための複数のゲートバスライン２６と表示信号を供給するための複数のソースバスライン２５とにより囲まれた領域内（単位画素内）で、櫛歯形の第１の電極（例えば、画素電極）２１と櫛歯型の第２の電極（例えば、共通電極）２２とが互いに遊嵌した状態（両電極が一定距離を保った状態で離間して噛合した状態）で設けられている。該単位画素内には、ゲートバスライン２６とソースバスライン２５が互いに交差している交差部近傍には、ソース電極２７、ドレイン電極２４およびゲート電極２８を含む薄膜トランジスタが設けられている。この薄膜トランジスタは、第１の電極２１に表示信号を供給するスイッチ素子として、第１の電極２１と連結している。また、ゲートバスライン２６と並行して、共通ライン（Ｖｃｏｍ）２９が設けられる。この共通ライン２９は、第２の電極２２に共通信号を供給するために、第２の電極２２と連結している。【００４２】
図７は、図５におけるＩＩＩ−ＩＩＩ線方向に図１に示すＩＰＳ型の液晶表示部を切断した断面図である。第１の基板２上には、ゲートバスライン２６（図示せず）を覆い、且つ第１の基板２の略全面を覆うように設けられたゲート絶縁層３２と、ゲート絶縁層３２の表面に形成された絶縁保護層３１とが設けられ、絶縁保護膜３１上に、第１の電極（画素電極）２１及び第２の電極（共通電極）２２が離間して設けられる。絶縁保護層３１は、絶縁機能を有する層であり、窒化ケイ素、二酸化ケイ素、ケイ素酸窒化膜等で形成される。【００４３】
図５及び図７に示す実施の形態では、第１の電極２１及び第２の電極２２は、絶縁保護層３１上に、すなわち同一の層上に形成された櫛形の電極であり、互いに離間して噛合した状態で設けられている。ＩＰＳ型の液晶表示部では、第１の電極２１と第２の電極２２との間の電極間距離Ｇと、第１の基板２と第２の基板７との間の液晶層の厚さ（セルギャップ）：Ｈは、Ｇ≧Ｈの関係を満たす。電極間距離：Ｇとは、第１の電極２１と第２の電極２２との間の、基板に水平方向の最短距離を表し、図５及び図７で示す例においては、第１の電極２１と第２の電極２２とが遊嵌して交互に形成されたラインに対して、垂直方向の距離を表す。第１の基板２と第２の基板７との距離：Ｈとは、第１の基板２と第２の基板７との間の液晶層の厚さを表し、具体的には、第１の基板２及び第２の基板７のそれぞれに設けられた配向膜４（最表面）間の距離（すなわちセルギャップ）、液晶層の厚みを表す。【００４４】
一方、先述のＦＦＳ型の液晶表示部では、第１の基板２と第二の基板７との間の液晶層の厚さが、第１の電極２１と第２の電極２２との間の、基板に水平方向の最短距離未満であり、ＩＰＳ型の液晶表示部は、第１の基板２と第二の基板７との間の液晶層の厚さが、第１の電極２１と第２の電極２２との間の、基板に水平方向の最短距離以上である。したがって、ＩＰＳとＦＦＳの違いは、第１の電極２１及び第２の電極２２の厚み方向の位置関係に依存しない。【００４５】
ＩＰＳ型の液晶表示素子は、第１の電極２１及び第２の電極２２間に形成される基板面に対して水平方向の電界を利用して液晶分子を駆動させる。第１の電極２１の電極幅：Ｑ、及び第２の電極２２の電極幅：Ｒは、発生する電界により液晶層５内の液晶分子が全て駆動され得る程度の幅に形成することが好ましい。【００４６】
本発明の好ましい他の実施形態は、垂直配向型の液晶表示素子である。図８は、垂直配向型の液晶表示素子の液晶表示部の構成を模式的に示す図である。また、図８では、説明のために便宜上各構成要素を離間して記載している。図９は、当該図８における基板上に形成された薄膜トランジスタを含む電極層３（または薄膜トランジスタ層３とも称する。）のＩＩ線で囲まれた領域を拡大した平面図である。図１０は、図９におけるＩＩＩ−ＩＩＩ線方向に図１に示す液晶表示素子を切断した断面図である。以下、図８〜１０を参照して、本発明に係る垂直配向型の液晶表示部を説明する。【００４７】
本発明に係る液晶表示素子１０の構成は、図８に記載するように透明導電性材料からなる透明電極（層）３’（または共通電極３’とも称する。）を具備した第２の基板７と、画素電極および各画素に具備した前記画素電極を制御する薄膜トランジスタを形成した電極層３を含む第１の基板２と、前記第１の基板２と第２の基板７との間に挟持された液晶組成物（または液晶層５）を有し、該液晶組成物中の液晶分子の電圧無印加時の配向が前記基板２，７に対して略垂直である液晶表示素子であって、該液晶組成物として前記本発明の液晶組成物を用いたことに特徴を有するものである。また図８および図１０に示すように、前記第１の基板２および前記第２の基板７は、一対の偏光板１，８により挟持されてもよい。さらに、図８では、前記第２の基板７と共通電極３’との間にカラーフィルタ６が設けられている。またさらに、本発明に係る液晶層５と隣接し、かつ当該液晶層５を構成する液晶組成物と直接当接するよう一対の配向膜４を透明電極（層）３，３’表面に形成してもよい。【００４８】
図９は、画素電極２１の形状の一例として逆Ｌ字型の画素電極を示した図であり、図８における基板２上に形成された電極層３のＩＩ線で囲まれた領域を拡大した平面図である。前記画素電極２１は、上記図３、４と同様に、ゲートバスライン２６とソースバスライン２５とに囲まれた領域の略全面に逆Ｌ字型に形成されているが、画素電極の形状は限定されるものではない。【００４９】
垂直配向型の液晶表示素子の液晶表示部は、上記のＩＰＳ型やＦＦＳ型とは異なり、共通電極２２（図示せず）が画素電極２１と対向離間して形成されている。換言すると、画素電極２１と、共通電極２２とは別の基板上に形成されている。一方、先述のＦＦＳやＩＰＳ型の液晶表示素子は、画素電極２１および共通電極２２が同一基板上に形成されている。【００５０】
また、当該カラーフィルタ６は、光の漏れを防止する観点で、薄膜トランジスタおよびストレイジキャパシタ２３に対応する部分にブラックマトリックス（図示せず）を形成することが好ましい。【００５１】
図１０は、図９おけるＩＩＩ−ＩＩＩ線方向に図８に示す液晶表示素子を切断した断面図である。すなわち、本発明に係る液晶表示素子１０は、第１の偏光板１と、第１の基板２と、薄膜トランジスタを含む電極層（又は薄膜トランジスタ層とも称する）３と、配向膜４と、液晶組成物を含む層５と、配向膜４と、共通電極３’と、カラーフィルタ６と、第２の基板７と、第１の偏光板８と、が順次積層された構成である。本発明に係る液晶表示素子の薄膜トランジスタの構造（図１０のＩＶの領域）の好適な一態様は、上述した通りであるためここでは省略する。【００５２】
次いで、本発明の好適な液晶表示部の液晶層について説明する。本発明に係る液晶層は、一般式（ｉ）で表される化合物を１種類又は２種類以上含有する液晶組成物を含む。また、前記液晶組成物は、ネマチック液晶組成物であることが好ましい。さらに、本発明に係る液晶組成物は、誘電率異方性（Δε）が負（−２＞Δε）の成分と、誘電率異方性が中性（（−２≦Δε≦２））の成分とを有することが好ましい。【００５３】
なお、一般式（ｉ）で表されるは誘電的に負の化合物（Δεの符号が負で、その絶対値が２より大きい。）に該当する。【００５４】
本発明に係る液晶組成物の誘電的に負の化合物は、一般式（ｉ）で表される化合物のように、分子内の環構造が６員環から構成され、かつジフルオロベンゼン基を必須としている構造は、縮合環構造等の化合物に比較し長時間のバックライト照射に対して、信頼性が高く初期の特性を維持しやすいため、長時間のバックライト照射後でもフリッカー等の発生が軽減されると考えられる。【００５５】
【化２】
2017221724.tif 000003
【００５６】
（式中、Ｒｉ１及びＲｉ２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、  Ａｉ１及びＡｉ２はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
（ｃ）  １，４−シクロヘキセニレン基
からなる群より選ばれる基を表し、上記の基（ａ）、基（ｂ）および基（ｃ）はそれぞれ独立してシアノ基、フッ素原子又は塩素原子で置換されていても良く、
Ｚｉ１及びＺｉ２はそれぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ｎｉ１及びｎｉ２はそれぞれ独立して０〜３の整数を表すが、ｎｉ１＋ｎｉ２は１、２又は３であり、Ａｉ１〜Ａｉ２、Ｚｉ１〜Ｚｉ２が複数存在する場合は、それらは同一であっても異なっていても良い。）
本発明に係る液晶組成物に縮合環化合物を含むと、長時間のバックライト照射を行うと、低周波駆動時の電圧保持率の低下が大きくため、フリッカーが認識しやすくなる。【００５７】
一般式（ｉ）で表される化合物は、Δεが負でその絶対値が３よりも大きな化合物であることが好ましい。【００５８】
一般式（ｉ）中、Ｒｉ１及びＲｉ２はそれぞれ独立して、炭素原子数１〜８のアルキル基、炭素原子数１〜８のアルコキシ基、炭素原子数２〜８のアルケニル基又は炭素原子数２〜８のアルケニルオキシ基が好ましく、炭素原子数１〜５のアルキル基、炭素原子数１〜５のアルコキシ基、炭素原子数２〜５のアルケニル基又は炭素原子数２〜５のアルケニルオキシ基が好ましい。【００５９】
また、Ｒｉ１及びＲｉ２が結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、Ｒｉ１及びＲｉ２が結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。【００６０】
アルケニル基としては、式（Ｒ１）から式（Ｒ５）のいずれかで表される基から選ばれることが好ましい。（各式中の黒点は環構造中の炭素原子を表す。）【００６１】
【化３】
2017221724.tif 000004
【００６２】
Ａｉ１及びＡｉ２はそれぞれ独立してΔｎを大きくすることが求められる場合には芳香族であることが好ましく、応答速度を改善するためには脂肪族であることが好ましく、トランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、ピペリジン−１，４−ジイル基を表すことが好ましく、下記の構造を表すことがより好ましく、【００６３】
【化４】
2017221724.tif 000005
【００６４】
トランス−１，４−シクロへキシレン基、１，４−シクロヘキセニレン基又は１，４−フェニレン基を表すことがより好ましい。【００６５】
Ｚｉ１及びＺｉ２はそれぞれ独立して−ＣＨ２Ｏ−、−ＣＦ２Ｏ−、−ＣＨ２ＣＨ２−、−ＣＦ２ＣＦ２−又は単結合を表すことが好ましく、−ＣＨ２Ｏ−、−ＣＨ２ＣＨ２−又は単結合が更に好ましく、−ＣＨ２Ｏ−又は単結合が特に好ましい。【００６６】
ｎｉ１＋ｎｉ２は１又は２が好ましく、ｎｉ１が１でありｎｉ２が０である組み合わせ、ｎｉ１が２でありｎｉ２が０である組み合わせ、ｎｉ１が１でありｎｉ２が１である組み合わせ、ｎｉ１が２でありｎｉ２が１である組み合わせが好ましい。【００６７】
本発明の組成物の総量に対しての式（ｉ）で表される化合物の好ましい含有量の下限値は、１％であり、１０％であり、２０％であり、３０％であり、４０％であり、５０％であり、５５％であり、６０％であり、６５％であり、７０％であり、７５％であり、８０％である。好ましい含有量の上限値は、９５％であり、９０％であり、８５％であり、８０％であり、７９％であり、７５％であり、６５％であり、５５％であり、４５％であり、３５％であり、２５％であり、２０％である。【００６８】
特に、一般式（ｉ）で表される化合物として好ましい化合物として、下記の一般式（Ｎ−１ａ）〜（Ｎ−１ｆ）で表される化合物群を挙げることができる。本発明に係る一般式（ｉ）で表される化合物は、一般式（Ｎ−１ａ）〜（Ｎ−１ｆ）で表される化合物からなる群から選択される１種又は２種以上の化合物であることが好ましい。【００６９】
【化５】
2017221724.tif 000006
【００７０】
（式中、ＲＮ１１及びＲＮ１２は一般式（ｉ）におけるＲＮ１１及びＲＮ１２と同じ意味を表し、ｎＮａ１１は０又は１を表し、ｎＮｂ１１は０又は１を表し、ｎＮｃ１１は０又は１を表し、ｎＮｄ１１は１又は２を表し、ｎＮｅ１１は１又は２を表し、ｎＮｆ１１は０又は１を表しｎＮｆ１２は０又は１を表すが、ｎＮｆ１１＋ｎＮｆ１２は１又は２を表す。）
本発明の組成物の粘度を低く保ち、応答速度が速い組成物が必要な場合は上記の下限値が低く上限値が低いことが好ましい。さらに、本発明の組成物のＴｎｉを高く保ち、温度安定性の良い組成物が必要な場合は上記の下限値が低く上限値が低いことが好ましい。また、駆動電圧を低く保つために誘電率異方性を大きくしたいときは、上記の下限値を高く上限値が高いことが好ましい。【００７１】
より具体的には、一般式（ｉ）で表される化合物は、以下の一般式（Ｎ−１−１）〜（Ｎ−１−２１）で表される化合物群から選ばれる化合物であることが好ましい。【００７２】
一般式（Ｎ−１−１）で表される化合物は下記の化合物である。【００７３】
【化６】
2017221724.tif 000007
【００７４】
（式中、ＲＮ１１１及びＲＮ１１２はそれぞれ独立して、一般式（Ｎ）におけるＲＮ１１及びＲＮ１２と同じ意味を表す。）
ＲＮ１１１は炭素原子数１〜５のアルキル基又は炭素原子数２〜５のアルケニル基が好ましく、プロピル基又はペンチル基が好ましい。ＲＮ１１２は炭素原子数１〜５のアルキル基、炭素原子数４〜５のアルケニル基又は炭素原子数１〜４のアルコキシ基が好ましく、エトキシ基又はブトキシ基が好ましい。【００７５】
一般式（Ｎ−１−１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【００７６】
Δεの改善を重視する場合には含有量を高めに設定することが好ましく、低温での溶解性を重視する場合は含有量を多めに設定すると効果が高く、ＴＮＩを重視する場合は含有量を少なめに設定すると効果が高い。さらに、滴下痕や焼き付き特性を改良する場合は、含有量の範囲を中間に設定することが好ましい。【００７７】
本発明の組成物の総量に対しての式（Ｎ−１−１）で表される化合物の好ましい含有量の下限値は、５％であり、１０％であり、１３％であり、１５％であり、１７％であり、２０％であり、２３％であり、２５％であり、２７％であり、３０％であり、３３％であり、３５％である。好ましい含有量の上限値は、本発明の組成物の総量に対して、５０％であり、４０％であり、３８％であり、３５％であり、３３％であり、３０％であり、２８％であり、２５％であり、２３％であり、２０％であり、１８％であり、１５％であり、１３％であり、１０％であり、８％であり、７％であり、６％であり、５％であり、３％である。【００７８】
さらに、一般式（Ｎ−１−１）で表される化合物は、式（Ｎ−１−１．１）から式（Ｎ−１−１．１４）で表される化合物群から選ばれる化合物であることが好ましく、式（Ｎ−１−１．１）〜（Ｎ−１−１．４）で表される化合物であることが好ましく、式（Ｎ−１−１．１）及び式（Ｎ−１−１．３）で表される化合物が好ましい。【００７９】
【化７】
2017221724.tif 000008
【００８０】
式（Ｎ−１−１．１）〜（Ｎ−１−１．４）で表される化合物は単独で使用することも、組み合わせて使用することも可能であるが、本発明の組成物の総量に対しての単独又はこれら化合物の好ましい含有量の下限値は、５％であり、１０％であり、１３％であり、１５％であり、１７％であり、２０％であり、２３％であり、２５％であり、２７％であり、３０％であり、３３％であり、３５％である。好ましい含有量の上限値は、本発明の組成物の総量に対して、５０％であり、４０％であり、３８％であり、３５％であり、３３％であり、３０％であり、２８％であり、２５％であり、２３％であり、２０％であり、１８％であり、１５％であり、１３％であり、１０％であり、８％であり、７％であり、６％であり、５％であり、３％である。【００８１】
一般式（Ｎ−１−２）で表される化合物は下記の化合物である。【００８２】
【化８】
2017221724.tif 000009
【００８３】
（式中、ＲＮ１２１及びＲＮ１２２はそれぞれ独立して、一般式（Ｎ）におけるＲＮ１１及びＲＮ１２と同じ意味を表す。）
ＲＮ１２１は炭素原子数１〜５のアルキル基又は炭素原子数２〜５のアルケニル基が好ましく、エチル基、プロピル基、ブチル基又はペンチル基が好ましい。ＲＮ１２２は炭素原子数１〜５のアルキル基、炭素原子数４〜５のアルケニル基又は炭素原子数１〜４のアルコキシ基が好ましく、メチル基、プロピル基、メトキシ基、エトキシ基又はプロポキシ基が好ましい。【００８４】
一般式（Ｎ−１−２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【００８５】
Δεの改善を重視する場合には含有量を高めに設定することが好ましく、低温での溶解性を重視する場合は含有量を少なめに設定すると効果が高く、ＴＮＩを重視する場合は含有量を多めに設定すると効果が高い。さらに、滴下痕や焼き付き特性を改良する場合は、含有量の範囲を中間に設定することが好ましい。【００８６】
本発明の組成物の総量に対しての式（Ｎ−１−２）で表される化合物の好ましい含有量の下限値は、５％であり、７％であり、１０％であり、１３％であり、１５％であり、１７％であり、２０％であり、２３％であり、２５％であり、２７％であり、３０％であり、３３％であり、３５％であり、３７％であり、４０％であり、４２％である。好ましい含有量の上限値は、本発明の組成物の総量に対して、５０％であり、４８％であり、４５％であり、４３％であり、４０％であり、３８％であり、３５％であり、３３％であり、３０％であり、２８％であり、２５％であり、２３％であり、２０％であり、１８％であり、１５％であり、１３％であり、１０％であり、８％であり、７％であり、６％であり、５％である。【００８７】
さらに、一般式（Ｎ−１−２）で表される化合物は、式（Ｎ−１−２．１）から式（Ｎ−１−２．１３）で表される化合物群から選ばれる化合物であることが好ましく、式（Ｎ−１−２．３）から式（Ｎ−１−２．７）、式（Ｎ−１−２．１０）、式（Ｎ−１−２．１１）及び式（Ｎ−１−２．１３）で表される化合物であることが好ましく、Δεの改良を重視する場合には式（Ｎ−１−２．３）から式（Ｎ−１−２．７）で表される化合物が好ましく、ＴＮＩの改良を重視する場合には式（Ｎ−１−２．１０）、式（Ｎ−１−２．１１）及び式（Ｎ−１−２．１３）で表される化合物であることが好ましい。【００８８】
【化９】
2017221724.tif 000010
【００８９】
式（Ｎ−１−２．１）から式（Ｎ−１−２．１３）で表される化合物は単独で使用することも、組み合わせて使用することも可能であるが、本発明の組成物の総量に対しての単独又はこれら化合物の好ましい含有量の下限値は、５％であり、１０％であり、１３％であり、１５％であり、１７％であり、２０％であり、２３％であり、２５％であり、２７％であり、３０％であり、３３％であり、３５％である。好ましい含有量の上限値は、本発明の組成物の総量に対して、５０％であり、４０％であり、３８％であり、３５％であり、３３％であり、３０％であり、２８％であり、２５％であり、２３％であり、２０％であり、１８％であり、１５％であり、１３％であり、１０％であり、８％であり、７％であり、６％であり、５％であり、３％である。【００９０】
一般式（Ｎ−１−３）で表される化合物は下記の化合物である。【００９１】
【化１０】
2017221724.tif 000011
【００９２】
（式中、ＲＮ１３１及びＲＮ１３２はそれぞれ独立して、一般式（Ｎ）におけるＲＮ１１及びＲＮ１２と同じ意味を表す。）
ＲＮ１３１は炭素原子数１〜５のアルキル基又は炭素原子数２〜５のアルケニル基が好ましく、エチル基、プロピル基又はブチル基が好ましい。ＲＮ１３２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。【００９３】
一般式（Ｎ−１−３）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【００９４】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。【００９５】
本発明の組成物の総量に対しての式（Ｎ−１−３）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。【００９６】
さらに、一般式（Ｎ−１−３）で表される化合物は、式（Ｎ−１−３．１）から式（Ｎ−１−３．１１）で表される化合物群から選ばれる化合物であることが好ましく、式（Ｎ−１−３．１）〜（Ｎ−１−３．７）で表される化合物であることが好ましく、式（Ｎ−１−３．１）、式（Ｎ−１−３．２）、式（Ｎ−１−３．３）、式（Ｎ−１−３．４）及び式（Ｎ−１−３．６）で表される化合物が好ましい。【００９７】
【化１１】
2017221724.tif 000012
【００９８】
式（Ｎ−１−３．１）〜式（Ｎ−１−３．４）及び式（Ｎ−１−３．６）で表される化合物は単独で使用することも、組み合わせて使用することも可能であるが、式（Ｎ−１−３．１）及び式（Ｎ−１−３．２）の組み合わせ、式（Ｎ−１−３．３）、式（Ｎ−１−３．４）及び式（Ｎ−１−３．６）から選ばれる２種又は３種の組み合わせが好ましい。本発明の組成物の総量に対しての単独又はこれら化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。【００９９】
一般式（Ｎ−１−４）で表される化合物は下記の化合物である。【０１００】
【化１２】
2017221724.tif 000013
【０１０１】
（式中、ＲＮ１４１及びＲＮ１４２はそれぞれ独立して、一般式（Ｎ）におけるＲＮ１１及びＲＮ１２と同じ意味を表す。）
ＲＮ１４１及びＲＮ１４２はそれぞれ独立して、炭素原子数１〜５のアルキル基、炭素原子数４〜５のアルケニル基又は炭素原子数１〜４のアルコキシ基が好ましく、メチル基、プロピル基、エトキシ基又はブトキシ基が好ましい。【０１０２】
一般式（Ｎ−１−４）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【０１０３】
Δεの改善を重視する場合には含有量を高めに設定することが好ましく、低温での溶解性を重視する場合は含有量を多めに設定すると効果が高く、ＴＮＩを重視する場合は含有量を少なめに設定すると効果が高い。さらに、滴下痕や焼き付き特性を改良する場合は、含有量の範囲を中間に設定することが好ましい。【０１０４】
本発明の組成物の総量に対しての式（Ｎ−１−４）で表される化合物の好ましい含有量の下限値は、３％であり、５％であり、７％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％であり、１１％であり、１０％であり、８％である。【０１０５】
さらに、一般式（Ｎ−１−４）で表される化合物は、式（Ｎ−１−４．１）から式（Ｎ−１−４．１４）で表される化合物群から選ばれる化合物であることが好ましく、式（Ｎ−１−４．１）〜（Ｎ−１−４．４）で表される化合物であることが好ましく、式（Ｎ−１−４．１）及び式（Ｎ−１−４．２）で表される化合物が好ましい。【０１０６】
【化１３】
2017221724.tif 000014
【０１０７】
式（Ｎ−１−４．１）〜（Ｎ−１−４．４）で表される化合物は単独で使用することも、組み合わせて使用することも可能であるが、本発明の組成物の総量に対しての単独又はこれら化合物の好ましい含有量の下限値は、３％であり、５％であり、７％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％であり、１１％であり、１０％であり、８％である。【０１０８】
一般式（Ｎ−１−５）で表される化合物は下記の化合物である。【０１０９】
【化１４】
2017221724.tif 000015
【０１１０】
（式中、ＲＮ１５１及びＲＮ１５２はそれぞれ独立して、一般式（Ｎ）におけるＲＮ１１及びＲＮ１２と同じ意味を表す。）
ＲＮ１５１及びＲＮ１５２はそれぞれ独立して、炭素原子数１〜５のアルキル基、炭素原子数４〜５のアルケニル基又は炭素原子数１〜４のアルコキシ基が好ましくエチル基、プロピル基又はブチル基が好ましい。【０１１１】
一般式（Ｎ−１−５）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【０１１２】
Δεの改善を重視する場合には含有量を高めに設定することが好ましく、低温での溶解性を重視する場合は含有量を少なめに設定すると効果が高く、ＴＮＩを重視する場合は含有量を多めに設定すると効果が高い。さらに、滴下痕や焼き付き特性を改良する場合は、含有量の範囲を中間に設定することが好ましい。【０１１３】
本発明の組成物の総量に対しての式（Ｎ−１−５）で表される化合物の好ましい含有量の下限値は、５％であり、８％であり、１０％であり、１３％であり、１５％であり、１７％であり、２０％である。好ましい含有量の上限値は、本発明の組成物の総量に対して、３５％であり、３３％であり、３０％であり、２８％であり、２５％であり、２３％であり、２０％であり、１８％であり、１５％であり、１３％である。【０１１４】
さらに、一般式（Ｎ−１−５）で表される化合物は、式（Ｎ−１−５．１）から式（Ｎ−１−５．６）で表される化合物群から選ばれる化合物であることが好ましく、式（Ｎ−１−３．２及び式（Ｎ−１−３．４）で表される化合物が好ましい。【０１１５】
【化１５】
2017221724.tif 000016
【０１１６】
式（Ｎ−１−３．２及び式（Ｎ−１−３．４）で表される化合物は単独で使用することも、組み合わせて使用することも可能であるが、本発明の組成物の総量に対しての単独又はこれら化合物の好ましい含有量の下限値は、５％であり、８％であり、１０％であり、１３％であり、１５％であり、１７％であり、２０％である。好ましい含有量の上限値は、本発明の組成物の総量に対して、３５％であり、３３％であり、３０％であり、２８％であり、２５％であり、２３％であり、２０％であり、１８％であり、１５％であり、１３％である。【０１１７】
一般式（Ｎ−１−１０）で表される化合物は下記の化合物である。【０１１８】
【化１６】
2017221724.tif 000017
【０１１９】
（式中、ＲＮ１１０１及びＲＮ１１０２はそれぞれ独立して、一般式（Ｎ）におけるＲＮ１１及びＲＮ１２と同じ意味を表す。）
ＲＮ１１０１は炭素原子数１〜５のアルキル基又は炭素原子数２〜５のアルケニル基が好ましく、エチル基、プロピル基又はブチル基が好ましい。ＲＮ１１０２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。【０１２０】
一般式（Ｎ−１−１０）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【０１２１】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。【０１２２】
本発明の組成物の総量に対しての式（Ｎ−１−１０）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。【０１２３】
さらに、一般式（Ｎ−１−１０）で表される化合物は、式（Ｎ−１−１０．１）から式（Ｎ−１−１０．１１）で表される化合物群から選ばれる化合物であることが好ましく、式（Ｎ−１−１０．１）〜（Ｎ−１−１０．５）で表される化合物であることが好ましく、式（Ｎ−１−１０．１）及び式（Ｎ−１−１０．２）で表される化合物が好ましい。【０１２４】
【化１７】
2017221724.tif 000018
【０１２５】
式（Ｎ−１−１０．１）及び式（Ｎ−１−１０．２）で表される化合物は単独で使用することも、組み合わせて使用することも可能であるが、本発明の組成物の総量に対しての単独又はこれら化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。【０１２６】
一般式（Ｎ−１−１１）で表される化合物は下記の化合物である。【０１２７】
【化１８】
2017221724.tif 000019
【０１２８】
（式中、ＲＮ１１１１及びＲＮ１１１２はそれぞれ独立して、一般式（Ｎ）におけるＲＮ１１及びＲＮ１２と同じ意味を表す。）
ＲＮ１１１１は炭素原子数１〜５のアルキル基又は炭素原子数２〜５のアルケニル基が好ましく、エチル基、プロピル基又はブチル基が好ましい。ＲＮ１１１２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。【０１２９】
一般式（Ｎ−１−１１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【０１３０】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。【０１３１】
本発明の組成物の総量に対しての式（Ｎ−１−１１）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。【０１３２】
さらに、一般式（Ｎ−１−１１）で表される化合物は、式（Ｎ−１−１１．１）から式（Ｎ−１−１１．１５）で表される化合物群から選ばれる化合物であることが好ましく、式（Ｎ−１−１１．１）〜（Ｎ−１−１１．１５）で表される化合物であることが好ましく、式（Ｎ−１−１１．２及び式（Ｎ−１−１１．４）で表される化合物が好ましい。【０１３３】
【化１９】
2017221724.tif 000020
【０１３４】
式（Ｎ−１−１１．２）及び式（Ｎ−１−１１．４）で表される化合物は単独で使用することも、組み合わせて使用することも可能であるが、本発明の組成物の総量に対しての単独又はこれら化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。【０１３５】
一般式（Ｎ−１−１２）で表される化合物は下記の化合物である。【０１３６】
【化２０】
2017221724.tif 000021
【０１３７】
（式中、ＲＮ１１２１及びＲＮ１１２２はそれぞれ独立して、一般式（Ｎ）におけるＲＮ１１及びＲＮ１２と同じ意味を表す。）
ＲＮ１１２１は炭素原子数１〜５のアルキル基又は炭素原子数２〜５のアルケニル基が好ましく、エチル基、プロピル基又はブチル基が好ましい。ＲＮ１１２２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。【０１３８】
一般式（Ｎ−１−１２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【０１３９】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。【０１４０】
本発明の組成物の総量に対しての式（Ｎ−１−１２）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。【０１４１】
一般式（Ｎ−１−１３）で表される化合物は下記の化合物である。【０１４２】
【化２１】
2017221724.tif 000022
【０１４３】
（式中、ＲＮ１１３１及びＲＮ１１３２はそれぞれ独立して、一般式（Ｎ）におけるＲＮ１１及びＲＮ１２と同じ意味を表す。）
ＲＮ１１３１は炭素原子数１〜５のアルキル基又は炭素原子数２〜５のアルケニル基が好ましく、エチル基、プロピル基又はブチル基が好ましい。ＲＮ１１３２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。【０１４４】
一般式（Ｎ−１−１３）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【０１４５】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。【０１４６】
本発明の組成物の総量に対しての式（Ｎ−１−１３）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。【０１４７】
一般式（Ｎ−１−１４）で表される化合物は下記の化合物である。【０１４８】
【化２２】
2017221724.tif 000023
【０１４９】
（式中、ＲＮ１１４１及びＲＮ１１４２はそれぞれ独立して、一般式（Ｎ）におけるＲＮ１１及びＲＮ１２と同じ意味を表す。）
ＲＮ１１４１は炭素原子数１〜５のアルキル基又は炭素原子数２〜５のアルケニル基が好ましく、エチル基、プロピル基又はブチル基が好ましい。ＲＮ１１４２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。【０１５０】
一般式（Ｎ−１−１４）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【０１５１】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。【０１５２】
本発明の組成物の総量に対しての式（Ｎ−１−１４）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。【０１５３】
一般式（Ｎ−１−１５）で表される化合物は下記の化合物である。【０１５４】
【化２３】
2017221724.tif 000024
【０１５５】
（式中、ＲＮ１１５１及びＲＮ１１５２はそれぞれ独立して、一般式（Ｎ）におけるＲＮ１１及びＲＮ１２と同じ意味を表す。）
ＲＮ１１５１は炭素原子数１〜５のアルキル基又は炭素原子数２〜５のアルケニル基が好ましく、エチル基、プロピル基又はブチル基が好ましい。ＲＮ１１５２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。【０１５６】
一般式（Ｎ−１−１５）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【０１５７】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。【０１５８】
本発明の組成物の総量に対しての式（Ｎ−１−１５）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。【０１５９】
一般式（Ｎ−１−１６）で表される化合物は下記の化合物である。【０１６０】
【化２４】
2017221724.tif 000025
【０１６１】
（式中、ＲＮ１１６１及びＲＮ１１６２はそれぞれ独立して、一般式（Ｎ）におけるＲＮ１１及びＲＮ１２と同じ意味を表す。）
ＲＮ１１６１は炭素原子数１〜５のアルキル基又は炭素原子数２〜５のアルケニル基が好ましく、エチル基、プロピル基又はブチル基が好ましい。ＲＮ１１６２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。【０１６２】
一般式（Ｎ−１−１６）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【０１６３】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。【０１６４】
本発明の組成物の総量に対しての式（Ｎ−１−１６）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。【０１６５】
一般式（Ｎ−１−１７）で表される化合物は下記の化合物である。【０１６６】
【化２５】
2017221724.tif 000026
【０１６７】
（式中、ＲＮ１１７１及びＲＮ１１７２はそれぞれ独立して、一般式（Ｎ）におけるＲＮ１１及びＲＮ１２と同じ意味を表す。）
ＲＮ１１７１は炭素原子数１〜５のアルキル基又は炭素原子数２〜５のアルケニル基が好ましく、エチル基、プロピル基又はブチル基が好ましい。ＲＮ１１７２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。【０１６８】
一般式（Ｎ−１−１７）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【０１６９】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。【０１７０】
本発明の組成物の総量に対しての式（Ｎ−１−１７）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。【０１７１】
一般式（Ｎ−１−１８）で表される化合物は下記の化合物である。【０１７２】
【化２６】
2017221724.tif 000027
【０１７３】
（式中、ＲＮ１１８１及びＲＮ１１８２はそれぞれ独立して、一般式（Ｎ）におけるＲＮ１１及びＲＮ１２と同じ意味を表す。）
ＲＮ１１８１は炭素原子数１〜５のアルキル基又は炭素原子数２〜５のアルケニル基が好ましく、エチル基、プロピル基又はブチル基が好ましい。ＲＮ１１８２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。【０１７４】
一般式（Ｎ−１−１８）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【０１７５】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。【０１７６】
本発明の組成物の総量に対しての式（Ｎ−１−１８）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。【０１７７】
一般式（Ｎ−１−２０）で表される化合物は下記の化合物である。【０１７８】
【化２７】
2017221724.tif 000028
【０１７９】
（式中、ＲＮ１２０１及びＲＮ１２０２はそれぞれ独立して、一般式（ｉ）におけるＲｉ１及びＲｉ２と同じ意味を表す。）
ＲＮ１２０１及びＲＮ１２０２はそれぞれ独立して、炭素原子数１〜５のアルキル基又は炭素原子数２〜５のアルケニル基が好ましく、エチル基、プロピル基又はブチル基が好ましい。【０１８０】
一般式（Ｎ−１−２０）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【０１８１】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。【０１８２】
本発明の組成物の総量に対しての式（Ｎ−１−２０）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。【０１８３】
一般式（Ｎ−１−２１）で表される化合物は下記の化合物である。【０１８４】
【化２８】
2017221724.tif 000029
【０１８５】
（式中、ＲＮ１２１１及びＲＮ１２１２はそれぞれ独立して、一般式（ｉ）におけるＲｉ１及びＲｉ２と同じ意味を表す。）
ＲＮ１２１１及びＲＮ１２１２はそれぞれ独立して、炭素原子数１〜５のアルキル基又は炭素原子数２〜５のアルケニル基が好ましく、エチル基、プロピル基又はブチル基が好ましい。【０１８６】
一般式（Ｎ−１−２１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【０１８７】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。【０１８８】
本発明の組成物の総量に対しての式（Ｎ−１−２１）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。【０１８９】
本発明の組成物は、一般式（Ｌ）で表される化合物を１種類又は２種類以上含有することが好ましい。一般式（Ｌ）で表される化合物は誘電的にほぼ中性の化合物（Δεの値が−２〜２）に該当する。【０１９０】
【化２９】
2017221724.tif 000030
【０１９１】
（式中、ＲＬ１及びＲＬ２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ｎＬ１は０、１、２又は３を表し、
ＡＬ１、ＡＬ２及びＡＬ３はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ａ）および基（ｂ）はそれぞれ独立してシアノ基、フッ素原子又は塩素原子で置換されていても良く、
ＺＬ１及びＺＬ２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ｎＬ１が２又は３であってＡＬ２が複数存在する場合は、それらは同一であっても異なっていても良く、ｎＬ１が２又は３であってＺＬ３が複数存在する場合は、それらは同一であっても異なっていても良いが、一般式（ｉ）で表される化合物を除く。）
一般式（Ｌ）で表される化合物は単独で用いてもよいが、組み合わせて使用することもできる。組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類であり、３種類であり、４種類であり、５種類であり、６種類であり、７種類であり、８種類であり、９種類であり、１０種類以上である。【０１９２】
本発明の組成物において、一般式（Ｌ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。【０１９３】
本発明の組成物の総量に対しての式（Ｌ）で表される化合物の好ましい含有量の下限値は、１％であり、１０％であり、２０％であり、３０％であり、４０％であり、５０％であり、５５％であり、６０％であり、６５％であり、７０％であり、７５％であり、８０％である。好ましい含有量の上限値は、９５％であり、８５％であり、７５％であり、６５％であり、５５％であり、４５％であり、３５％であり、２５％である。【０１９４】
本発明の組成物の粘度を低く保ち、応答速度が速い組成物が必要な場合は上記の下限値が高く上限値が高いことが好ましい。さらに、本発明の組成物のＴｎｉを高く保ち、温度安定性の良い組成物が必要な場合は上記の下限値が高く上限値が高いことが好ましい。また、駆動電圧を低く保つために誘電率異方性を大きくしたいときは、上記の下限値を低く上限値が低いことが好ましい。【０１９５】
信頼性を重視する場合にはＲＬ１及びＲＬ２はともにアルキル基であることが好ましく、化合物の揮発性を低減させることを重視する場合にはアルコキシ基であることが好ましく、粘性の低下を重視する場合には少なくとも一方はアルケニル基であることが好ましい。【０１９６】
分子内に存在するハロゲン原子は０、１、２又は３個が好ましく、０又は１が好ましく、他の液晶分子との相溶性を重視する場合には１が好ましい。【０１９７】
ＲＬ１及びＲＬ２は、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。【０１９８】
アルケニル基としては、式（Ｒ１）から式（Ｒ５）のいずれかで表される基から選ばれることが好ましい。（各式中の黒点は環構造中の炭素原子を表す。）【０１９９】
【化３０】
2017221724.tif 000031
【０２００】
ｎＬ１は応答速度を重視する場合には０が好ましく、ネマチック相の上限温度を改善するためには２又は３が好ましく、これらのバランスをとるためには１が好ましい。また、組成物として求められる特性を満たすためには異なる値の化合物を組み合わせることが好ましい。【０２０１】
ＡＬ１、ＡＬ２及びＡＬ３はΔｎを大きくすることが求められる場合には芳香族であることが好ましく、応答速度を改善するためには脂肪族であることが好ましく、それぞれ独立してトランス−１，４−シクロへキシレン基、１，４−フェニレン基、２−フルオロ−１，４−フェニレン基、３−フルオロ−１，４−フェニレン基、３，５−ジフルオロ−１，４−フェニレン基、１，４−シクロヘキセニレン基、ピペリジン−１，４−ジイル基を表すことが好ましく、下記の構造を表すことがより好ましく、【０２０２】
【化３１】
2017221724.tif 000032
【０２０３】
トランス−１，４−シクロへキシレン基又は１，４−フェニレン基を表すことがより好ましい。【０２０４】
ＺＬ１及びＺＬ２は応答速度を重視する場合には単結合であることが好ましい。【０２０５】
一般式（Ｌ）で表される化合物は分子内のハロゲン原子数が０個又は１個であることが好ましい。【０２０６】
本発明に係る一般式（Ｌ）で表される化合物は、一般式（Ｌ−１）〜（Ｌ−７）で表される化合物群から選ばれる１種または２種以上の化合物であることが好ましい。【０２０７】
上記一般式（Ｌ−１）で表される化合物は下記の化合物である。【０２０８】
【化３２】
2017221724.tif 000033
【０２０９】
（式中、ＲＬ１１及びＲＬ１２はそれぞれ独立して、一般式（Ｌ）におけるＲＬ１及びＲＬ２と同じ意味を表す。）
ＲＬ１１及びＲＬ１２は、直鎖状の炭素原子数１〜５のアルキル基、直鎖状の炭素原子数１〜４のアルコキシ基及び直鎖状の炭素原子数２〜５のアルケニル基が好ましい。【０２１０】
一般式（Ｌ−１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【０２１１】
好ましい含有量の下限値は、本発明の組成物の総量に対して、１％であり、２％であり、３％であり、５％であり、７％であり、１０％であり、１５％であり、２０％であり、２５％であり、３０％であり、３５％であり、４０％であり、４５％であり、５０％であり、５５％である。好ましい含有量の上限値は、本発明の組成物の総量に対して、９５％であり、９０％であり、８５％であり、８０％であり、７５％であり、７０％であり、６５％であり、６０％であり、５５％であり、５０％であり、４５％であり、４０％であり、３５％であり、３０％であり、２５％である。【０２１２】
本発明の組成物の粘度を低く保ち、応答速度が速い組成物が必要な場合は上記の下限値が高く上限値が高いことが好ましい。さらに、本発明の組成物のＴｎｉを高く保ち、温度安定性の良い組成物が必要な場合は上記の下限値が中庸で上限値が中庸であることが好ましい。また、駆動電圧を低く保つために誘電率異方性を大きくしたいときは、上記の下限値が低く上限値が低いことが好ましい。【０２１３】
一般式（Ｌ−１）で表される化合物は一般式（Ｌ−１−１）で表される化合物群から選ばれる化合物であることが好ましい。【０２１４】
【化３３】
2017221724.tif 000034
【０２１５】
（式中ＲＬ１２は一般式（Ｌ−１）における意味と同じ意味を表す。）
一般式（Ｌ−１−１）で表される化合物は、式（Ｌ−１−１．１）から式（Ｌ−１−１．３）で表される化合物群から選ばれる化合物であることが好ましく、式（Ｌ−１−１．２）又は式（Ｌ−１−１．３）で表される化合物であることが好ましく、特に、式（Ｌ−１−１．３）で表される化合物であることが好ましい。【０２１６】
【化３４】
2017221724.tif 000035
【０２１７】
本発明の組成物の総量に対しての式（Ｌ−１−１．３）で表される化合物の好ましい含有量の下限値は、１％であり、２％であり、３％であり、５％であり、７％であり、１０％である。好ましい含有量の上限値は、本発明の組成物の総量に対して、２０％であり、１５％であり、１３％であり、１０％であり、８％であり、７％であり、６％であり、５％であり、３％である。【０２１８】
一般式（Ｌ−１）で表される化合物は一般式（Ｌ−１−２）で表される化合物群から選ばれる化合物であることが好ましい。【０２１９】
【化３５】
2017221724.tif 000036
【０２２０】
（式中ＲＬ１２は一般式（Ｌ−１）における意味と同じ意味を表す。）
本発明の組成物の総量に対しての式（Ｌ−１−２）で表される化合物の好ましい含有量の下限値は、１％であり、５％であり、１０％であり、１５％であり、１７％であり、２０％であり、２３％であり、２５％であり、２７％であり、３０％であり、３５％である。好ましい含有量の上限値は、本発明の組成物の総量に対して、６０％であり、５５％であり、５０％であり、４５％であり、４２％であり、４０％であり、３８％であり、３５％であり、３３％であり、３０％である。【０２２１】
さらに、一般式（Ｌ−１−２）で表される化合物は、式（Ｌ−１−２．１）から式（Ｌ−１−２．４）で表される化合物群から選ばれる化合物であることが好ましく、式（Ｌ−１−２．２）から式（Ｌ−１−２．４）で表される化合物であることが好ましい。特に、式（Ｌ−１−２．２）で表される化合物は本発明の組成物の応答速度を特に改善するため好ましい。また、応答速度よりも高いＴｎｉを求めるときは、式（Ｌ−１−２．３）又は式（Ｌ−１−２．４）で表される化合物を用いることが好ましい。式（Ｌ−１−２．３）及び式（Ｌ−１−２．４）で表される化合物の含有量は、低温での溶解度を良くするために３０％以上にすることは好ましくない。【０２２２】
【化３６】
2017221724.tif 000037
【０２２３】
本発明の組成物の総量に対しての式（Ｌ−１−２．２）で表される化合物の好ましい含有量の下限値は、１０％であり、１５％であり、１８％であり、２０％であり、２３％であり、２５％であり、２７％であり、３０％であり、３３％であり、３５％であり、３８％であり、４０％である。好ましい含有量の上限値は、本発明の組成物の総量に対して、６０％であり、５５％であり、５０％であり、４５％であり、４３％であり、４０％であり、３８％であり、３５％であり、３２％であり、３０％であり、２７％であり、２５％であり、２２％である。【０２２４】
本発明の組成物の総量に対しての式（Ｌ−１−１．３）で表される化合物及び式（Ｌ−１−２．２）で表される化合物の合計の好ましい含有量の下限値は、１０％であり、１５％であり、２０％であり、２５％であり、２７％であり、３０％であり、３５％であり、４０％である。好ましい含有量の上限値は、本発明の組成物の総量に対して、６０％であり、５５％であり、５０％であり、４５％であり、４３％であり、４０％であり、３８％であり、３５％であり、３２％であり、３０％であり、２７％であり、２５％であり、２２％である。【０２２５】
一般式（Ｌ−１）で表される化合物は一般式（Ｌ−１−３）で表される化合物群から選ばれる化合物であることが好ましい。【０２２６】
【化３７】
2017221724.tif 000038
【０２２７】
（式中ＲＬ１３及びＲＬ１４はそれぞれ独立して炭素原子数１〜８のアルキル基又は炭素原子数１〜８のアルコキシ基を表す。）
ＲＬ１３及びＲＬ１４は、直鎖状の炭素原子数１〜５のアルキル基、直鎖状の炭素原子数１〜４のアルコキシ基及び直鎖状の炭素原子数２〜５のアルケニル基が好ましい。【０２２８】
本発明の組成物の総量に対しての式（Ｌ−１−３）で表される化合物の好ましい含有量の下限値は、１％であり、５％であり、１０％であり、１３％であり、１５％であり、１７％であり、２０％であり、２３％であり、２５％であり、３０％である。好ましい含有量の上限値は、本発明の組成物の総量に対して、６０％であり、５５％であり、５０％であり、４５％であり、４０％であり、３７％であり、３５％であり、３３％であり、３０％であり、２７％であり、２５％であり、２３％であり、２０％であり、１７％であり、１５％であり、１３％であり、１０％である。
さらに、一般式（Ｌ−１−３）で表される化合物は、式（Ｌ−１−３．１）から式（Ｌ−１−３．１２）で表される化合物群から選ばれる化合物であることが好ましく、式（Ｌ−１−３．１）、式（Ｌ−１−３．３）又は式（Ｌ−１−３．４）で表される化合物であることが好ましい。特に、式（Ｌ−１−３．１）で表される化合物は本発明の組成物の応答速度を特に改善するため好ましい。また、応答速度よりも高いＴｎｉを求めるときは、式（Ｌ−１−３．３）、式（Ｌ−１−３．４）、式（Ｌ−１−３．１１）及び式（Ｌ−１−３．１２）で表される化合物を用いることが好ましい。式（Ｌ−１−３．３）、式（Ｌ−１−３．４）、式（Ｌ−１−３．１１）及び式（Ｌ−１−３．１２）で表される化合物の合計の含有量は、低温での溶解度を良くするために２０％以上にすることは好ましくない。【０２２９】
【化３８】
2017221724.tif 000039
【０２３０】
本発明の組成物の総量に対しての式（Ｌ−１−３．１）で表される化合物の好ましい含有量の下限値は、１％であり、２％であり、３％であり、５％であり、７％であり、１０％であり、１３％であり、１５％であり、１８％であり、２０％である。好ましい含有量の上限値は、本発明の組成物の総量に対して、２０％であり、１７％であり、１５％であり、１３％であり、１０％であり、８％であり、７％であり、６％である。【０２３１】
一般式（Ｌ−１）で表される化合物は一般式（Ｌ−１−４）及び／又は（Ｌ−１−５）で表される化合物群から選ばれる化合物であることが好ましい。【０２３２】
【化３９】
2017221724.tif 000040
【０２３３】
（式中ＲＬ１５及びＲＬ１６はそれぞれ独立して炭素原子数１〜８のアルキル基又は炭素原子数１〜８のアルコキシ基を表す。）
ＲＬ１５及びＲＬ１６は、直鎖状の炭素原子数１〜５のアルキル基、直鎖状の炭素原子数１〜４のアルコキシ基及び直鎖状の炭素原子数２〜５のアルケニル基が好ましい。【０２３４】
本発明の組成物の総量に対しての式（Ｌ−１−４）で表される化合物の好ましい含有量の下限値は、１％であり、５％であり、１０％であり、１３％であり、１５％であり、１７％であり、２０％である。好ましい含有量の上限値は、本発明の組成物の総量に対して、２５％であり、２３％であり、２０％であり、１７％であり、１５％であり、１３％であり、１０％である。【０２３５】
本発明の組成物の総量に対しての式（Ｌ−１−５）で表される化合物の好ましい含有量の下限値は、１％であり、５％であり、１０％であり、１３％であり、１５％であり、１７％であり、２０％である。好ましい含有量の上限値は、本発明の組成物の総量に対して、２５％であり、２３％であり、２０％であり、１７％であり、１５％であり、１３％であり、１０％である。【０２３６】
さらに、一般式（Ｌ−１−４）及び（Ｌ−１−５）で表される化合物は、式（Ｌ−１−４．１）から式（Ｌ−１−５．３）で表される化合物群から選ばれる化合物であることが好ましく、式（Ｌ−１−４．２）又は式（Ｌ−１−５．２）で表される化合物であることが好ましい。【０２３７】
【化４０】
2017221724.tif 000041
【０２３８】
本発明の組成物の総量に対しての式（Ｌ−１−４．２）で表される化合物の好ましい含有量の下限値は、１％であり、２％であり、３％であり、５％であり、７％であり、１０％であり、１３％であり、１５％であり、１８％であり、２０％である。好ましい含有量の上限値は、本発明の組成物の総量に対して、２０％であり、１７％であり、１５％であり、１３％であり、１０％であり、８％であり、７％であり、６％である。【０２３９】
式（Ｌ−１−１．３）、式（Ｌ−１−２．２）、式（Ｌ−１−３．１）、式（Ｌ−１−３．３）、式（Ｌ−１−３．４）、式（Ｌ−１−３．１１）及び式（Ｌ−１−３．１２）で表される化合物から選ばれる２種以上の化合物を組み合わせることが好ましく、式（Ｌ−１−１．３）、式（Ｌ−１−２．２）、式（Ｌ−１−３．１）、式（Ｌ−１−３．３）、式（Ｌ−１−３．４）及び式（Ｌ−１−４．２）で表される化合物から選ばれる２種以上の化合物を組み合わせることが好ましく、これら化合物の合計の含有量の好ましい含有量の下限値は、本発明の組成物の総量に対して、１％であり、２％であり、３％であり、５％であり、７％であり、１０％であり、１３％であり、１５％であり、１８％であり、２０％であり、２３％であり、２５％であり、２７％であり、３０％であり、３３％であり、３５％であり、上限値は、本発明の組成物の総量に対して、８０％であり、７０％であり、６０％であり、５０％であり、４５％であり、４０％であり、３７％であり、３５％であり、３３％であり、３０％であり、２８％であり、２５％であり、２３％であり、２０％である。組成物の信頼性を重視する場合には、式（Ｌ−１−３．１）、式（Ｌ−１−３．３）及び式（Ｌ−１−３．４））で表される化合物から選ばれる２種以上の化合物を組み合わせることが好ましく、組成物の応答速度を重視する場合には、式（Ｌ−１−１．３）、式（Ｌ−１−２．２）で表される化合物から選ばれる２種以上の化合物を組み合わせることが好ましい。【０２４０】
一般式（Ｌ−２）で表される化合物は下記の化合物である。【０２４１】
【化４１】
2017221724.tif 000042
【０２４２】
（式中、ＲＬ２１及びＲＬ２２はそれぞれ独立して、一般式（Ｌ）におけるＲＬ１及びＲＬ２と同じ意味を表す。）
ＲＬ２１は炭素原子数１〜５のアルキル基又は炭素原子数２〜５のアルケニル基が好ましく、ＲＬ２２は炭素原子数１〜５のアルキル基、炭素原子数４〜５のアルケニル基又は炭素原子数１〜４のアルコキシ基が好ましい。【０２４３】
一般式（Ｌ−１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【０２４４】
低温での溶解性を重視する場合は含有量を多めに設定すると効果が高く、反対に、応答速度を重視する場合は含有量を少なめに設定すると効果が高い。さらに、滴下痕や焼き付き特性を改良する場合は、含有量の範囲を中間に設定することが好ましい。【０２４５】
本発明の組成物の総量に対しての式（Ｌ−２）で表される化合物の好ましい含有量の下限値は、１％であり、２％であり、３％であり、５％であり、７％であり、１０％である。好ましい含有量の上限値は、本発明の組成物の総量に対して、２０％であり、１５％であり、１３％であり、１０％であり、８％であり、７％であり、６％であり、５％であり、３％である。【０２４６】
さらに、一般式（Ｌ−２）で表される化合物は、式（Ｌ−２．１）から式（Ｌ−２．６）で表される化合物群から選ばれる化合物であることが好ましく、式（Ｌ−２．１）、式（Ｌ−２．３）、式（Ｌ−２．４）及び式（Ｌ−２．６）で表される化合物であることが好ましい。【０２４７】
【化４２】
2017221724.tif 000043
【０２４８】
一般式（Ｌ−３）で表される化合物は下記の化合物である。【０２４９】
【化４３】
2017221724.tif 000044
【０２５０】
（式中、ＲＬ３１及びＲＬ３２はそれぞれ独立して、一般式（Ｌ）におけるＲＬ１及びＲＬ２と同じ意味を表す。）
ＲＬ３１及びＲＬ３２はそれぞれ独立して炭素原子数１〜５のアルキル基、炭素原子数４〜５のアルケニル基又は炭素原子数１〜４のアルコキシ基が好ましい。【０２５１】
一般式（Ｌ−３）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【０２５２】
本発明の組成物の総量に対しての式（Ｌ−３）で表される化合物の好ましい含有量の下限値は、１％であり、２％であり、３％であり、５％であり、７％であり、１０％である。好ましい含有量の上限値は、本発明の組成物の総量に対して、２０％であり、１５％であり、１３％であり、１０％であり、８％であり、７％であり、６％であり、５％であり、３％である。【０２５３】
高い複屈折率を得る場合は含有量を多めに設定すると効果が高く、反対に、高いＴｎｉを重視する場合は含有量を少なめに設定すると効果が高い。さらに、滴下痕や焼き付き特性を改良する場合は、含有量の範囲を中間に設定することが好ましい。【０２５４】
さらに、一般式（Ｌ−３）で表される化合物は、式（Ｌ−３．１）から式（Ｌ−３．４）で表される化合物群から選ばれる化合物であることが好ましく、式（Ｌ−３．２）から式（Ｌ−３．７）で表される化合物であることが好ましい。【０２５５】
【化４４】
2017221724.tif 000045
【０２５６】
一般式（Ｌ−４）で表される化合物は下記の化合物である。【０２５７】
【化４５】
2017221724.tif 000046
【０２５８】
（式中、ＲＬ４１及びＲＬ４２はそれぞれ独立して、一般式（Ｌ）におけるＲＬ１及びＲＬ２と同じ意味を表す。）
ＲＬ４１は炭素原子数１〜５のアルキル基又は炭素原子数２〜５のアルケニル基が好ましく、ＲＬ４２は炭素原子数１〜５のアルキル基、炭素原子数４〜５のアルケニル基又は炭素原子数１〜４のアルコキシ基が好ましい。）
一般式（Ｌ−４）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【０２５９】
本発明の組成物において、一般式（Ｌ−４）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。【０２６０】
本発明の組成物の総量に対しての式（Ｌ−４）で表される化合物の好ましい含有量の下限値は、１％であり、２％であり、３％であり、５％であり、７％であり、１０％であり、１４％であり、１６％であり、２０％であり、２３％であり、２６％であり、３０％であり、３５％であり、４０％である。本発明の組成物の総量に対しての式（Ｌ−４）で表される化合物の好ましい含有量の上限値は、５０％であり、４０％であり、３５％であり、３０％であり、２０％であり、１５％であり、１０％であり、５％である。【０２６１】
一般式（Ｌ−４）で表される化合物は、例えば式（Ｌ−４．１）から式（Ｌ−４．３）で表される化合物であることが好ましい。【０２６２】
【化４６】
2017221724.tif 000047
【０２６３】
低温での溶解性、転移温度、電気的な信頼性、複屈折率などの求められる性能に応じて、式（Ｌ−４．１）で表される化合物を含有していても、式（Ｌ−４．２）で表される化合物を含有していても、式（Ｌ−４．１）で表される化合物と式（Ｌ−４．２）で表される化合物との両方を含有していても良いし、式（Ｌ−４．１）から式（Ｌ−４．３）で表される化合物を全て含んでいても良い。本発明の組成物の総量に対しての式（Ｌ−４．１）又は式（Ｌ−４．２）で表される化合物の好ましい含有量の下限値は、３％であり、５％であり、７％であり、９％であり、１１％であり、１２％であり、１３％であり、１８％であり、２１％であり、好ましい上限値は、４５であり、４０％であり、３５％であり、３０％であり、２５％であり、２３％であり、２０％であり、１８％であり、１５％であり、１３％であり、１０％であり、８％である。【０２６４】
式（Ｌ−４．１）で表される化合物と式（Ｌ−４．２）で表される化合物との両方を含有する場合は、本発明の組成物の総量に対しての両化合物の好ましい含有量の下限値は、５％であり、１５％であり、１９％であり、２４％であり、３０％であり、好ましい上限値は、４５であり、４０％であり、３５％であり、３０％であり、２５％であり、２３％であり、２０％であり、１８％であり、１５％であり、１３％である。【０２６５】
一般式（Ｌ−４）で表される化合物は、例えば式（Ｌ−４．４）から式（Ｌ−４．６）で表される化合物であることが好ましく、式（Ｌ−４．４）で表される化合物であることが好ましい。【０２６６】
【化４７】
2017221724.tif 000048
【０２６７】
低温での溶解性、転移温度、電気的な信頼性、複屈折率などの求められる性能に応じて、式（Ｌ−４．４）で表される化合物を含有していても、式（Ｌ−４．５）で表される化合物を含有していても、式（Ｌ−４．４）で表される化合物と式（Ｌ−４．５）で表される化合物との両方を含有していても良い。【０２６８】
本発明の組成物の総量に対しての式（Ｌ−４．４）又は式（Ｌ−４．５）で表される化合物の好ましい含有量の下限値は、３％であり、５％であり、７％であり、９％であり、１１％であり、１２％であり、１３％であり、１８％であり、２１％である。好ましい上限値は、４５であり、４０％であり、３５％であり、３０％であり、２５％であり、２３％であり、２０％であり、１８％であり、１５％であり、１３％であり、１０％であり、８％である。【０２６９】
式（Ｌ−４．４）で表される化合物と式（Ｌ−４．５）で表される化合物との両方を含有する場合は、本発明の組成物の総量に対しての両化合物の好ましい含有量の下限値は、５％であり、１５％であり、１９％であり、２４％であり、３０％であり、好ましい上限値は、４５であり、４０％であり、３５％であり、３０％であり、２５％であり、２３％であり、２０％であり、１８％であり、１５％であり、１３％である。【０２７０】
一般式（Ｌ−４）で表される化合物は、式（Ｌ−４．７）から式（Ｌ−４．１０）で表される化合物であることが好ましく、特に、式（Ｌ−４．９）で表される化合物が好ましい。【０２７１】
【化４８】
2017221724.tif 000049
【０２７２】
一般式（Ｌ−５）で表される化合物は下記の化合物である。【０２７３】
【化４９】
2017221724.tif 000050
【０２７４】
（式中、ＲＬ５１及びＲＬ５２はそれぞれ独立して、一般式（Ｌ）におけるＲＬ１及びＲＬ２と同じ意味を表す。）
ＲＬ５１は炭素原子数１〜５のアルキル基又は炭素原子数２〜５のアルケニル基が好ましく、ＲＬ５２は炭素原子数１〜５のアルキル基、炭素原子数４〜５のアルケニル基又は炭素原子数１〜４のアルコキシ基が好ましい。【０２７５】
一般式（Ｌ−５）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【０２７６】
本発明の組成物において、一般式（Ｌ−５）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。【０２７７】
本発明の組成物の総量に対しての式（Ｌ−５）で表される化合物の好ましい含有量の下限値は、１％であり、２％であり、３％であり、５％であり、７％であり、１０％であり、１４％であり、１６％であり、２０％であり、２３％であり、２６％であり、３０％であり、３５％であり、４０％である。本発明の組成物の総量に対しての式（Ｌ−５）で表される化合物の好ましい含有量の上限値は、５０％であり、４０％であり、３５％であり、３０％であり、２０％であり、１５％であり、１０％であり、５％である
一般式（Ｌ−５）で表される化合物は、式（Ｌ−５．１）又は式（Ｌ−５．２）で表される化合物であることが好ましく、特に、式（Ｌ−５．１）で表される化合物であることが好ましい。【０２７８】
本発明の組成物の総量に対してのこれら化合物の好ましい含有量の下限値は、１％であり、２％であり、３％であり、５％であり、７％である。これら化合物の好ましい含有量の上限値は、２０％であり、１５％であり、１３％であり、１０％であり、９％である。【０２７９】
【化５０】
2017221724.tif 000051
【０２８０】
一般式（Ｌ−５）で表される化合物は、式（Ｌ−５．３）又は式（Ｌ−５．４）で表される化合物であることが好ましい。【０２８１】
本発明の組成物の総量に対してのこれら化合物の好ましい含有量の下限値は、１％であり、２％であり、３％であり、５％であり、７％である。これら化合物の好ましい含有量の上限値は、２０％であり、１５％であり、１３％であり、１０％であり、９％である。【０２８２】
【化５１】
2017221724.tif 000052
【０２８３】
一般式（Ｌ−５）で表される化合物は、式（Ｌ−５．５）から式（Ｌ−５．７）で表される化合物群から選ばれる化合物であることが好ましい。【０２８４】
本発明の組成物の総量に対してのこれら化合物の好ましい含有量の下限値は、１％であり、２％であり、３％であり、５％であり、７％である。これら化合物の好ましい含有量の上限値は、２０％であり、１５％であり、１３％であり、１０％であり、９％である。【０２８５】
【化５２】
2017221724.tif 000053
【０２８６】
一般式（Ｌ−６）で表される化合物は下記の化合物である。【０２８７】
【化５３】
2017221724.tif 000054
【０２８８】
（式中、ＲＬ６１及びＲＬ６２はそれぞれ独立して、一般式（Ｌ）におけるＲＬ１及びＲＬ２と同じ意味を表し、ＸＬ６１及びＸＬ６２はそれぞれ独立して水素原子又はフッ素原子を表す。）
ＲＬ６１及びＲＬ６２はそれぞれ独立して炭素原子数１〜５のアルキル基又は炭素原子数２〜５のアルケニル基が好ましく、ＸＬ６１及びＸＬ６２のうち一方がフッ素原子他方が水素原子であることが好ましい。【０２８９】
一般式（Ｌ−６）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。【０２９０】
本発明の組成物の総量に対しての式（Ｌ−６）で表される化合物の好ましい含有量の下限値は、１％であり、２％であり、３％であり、５％であり、７％であり、１０％であり、１４％であり、１６％であり、２０％であり、２３％であり、２６％であり、３０％であり、３５％であり、４０％である。本発明の組成物の総量に対しての式（Ｌ−６）で表される化合物の好ましい含有量の上限値は、５０％であり、４０％であり、３５％であり、３０％であり、２０％であり、１５％であり、１０％であり、５％である。Δｎを大きくすることに重点を置く場合には含有量を多くした方が好ましく、低温での析出に重点を置いた場合には含有量は少ない方が好ましい。【０２９１】
一般式（Ｌ−６）で表される化合物は、式（Ｌ−６．１）から式（Ｌ−６．９）で表される化合物であることが好ましい。【０２９２】
【化５４】
2017221724.tif 000055
【０２９３】
組み合わせることができる化合物の種類に特に制限は無いが、これらの化合物の中から１種〜３種類含有することが好ましく、１種〜４種類含有することがさらに好ましい。また、選ぶ化合物の分子量分布が広いことも溶解性に有効であるため、例えば、式（Ｌ−６．１）又は（Ｌ−６．２）で表される化合物から１種類、式（Ｌ−６．４）又は（Ｌ−６．５）で表される化合物から１種類、式（Ｌ−６．６）又は式（Ｌ−６．７）で表される化合物から１種類、式（Ｌ−６．８）又は（Ｌ−６．９）で表される化合物から１種類の化合物を選び、これらを適宜組み合わせることが好ましい。その中でも、式（Ｌ−６．１）、式（Ｌ−６．３）式（Ｌ−６．４）、式（Ｌ−６．６）及び式（Ｌ−６．９）で表される化合物を含むことが好ましい。【０２９４】
さらに、一般式（Ｌ−６）で表される化合物は、例えば式（Ｌ−６．１０）から式（Ｌ−６．１７）で表される化合物であることが好ましく、その中でも、式（Ｌ−６．１１）で表される化合物であることが好ましい。【０２９５】
【化５５】
2017221724.tif 000056
【０２９６】
本発明の組成物の総量に対してのこれら化合物の好ましい含有量の下限値は、１％であり、２％であり、３％であり、５％であり、７％である。これら化合物の好ましい含有量の上限値は、２０％であり、１５％であり、１３％であり、１０％であり、９％である。【０２９７】
一般式（Ｌ−７）で表される化合物は下記の化合物である。【０２９８】
【化５６】
2017221724.tif 000057
【０２９９】
（式中、ＲＬ７１及びＲＬ７２はそれぞれ独立して一般式（Ｌ）におけるＲＬ１及びＲＬ２と同じ意味を表し、ＡＬ７１及びＡＬ７２はそれぞれ独立して一般式（Ｌ）におけるＡＬ２及びＡＬ３と同じ意味を表すが、ＡＬ７１及びＡＬ７２上の水素原子はそれぞれ独立してフッ素原子によって置換されていてもよく、ＺＬ７１は一般式（Ｌ）におけるＺＬ２と同じ意味を表し、ＸＬ７１及びＸＬ７２はそれぞれ独立してフッ素原子又は水素原子を表す。）
式中、ＲＬ７１及びＲＬ７２はそれぞれ独立して炭素原子数１〜５のアルキル基、炭素原子数２〜５のアルケニル基又は炭素原子数１〜４のアルコキシ基が好ましく、ＡＬ７１及びＡＬ７２はそれぞれ独立して１,４-シクロヘキシレン基又は１,４-フェニレン基が好ましく、ＡＬ７１及びＡＬ７２上の水素原子はそれぞれ独立してフッ素原子によって置換されていてもよく、ＺＬ７１は単結合又はＣＯＯ−が好ましく、単結合が好ましく、ＸＬ７１及びＸＬ７２は水素原子が好ましい。【０３００】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類であり、２種類であり、３種類であり、４種類である。【０３０１】
本発明の組成物において、一般式（Ｌ−７）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。【０３０２】
本発明の組成物の総量に対しての一般式（Ｌ−７）で表される化合物の好ましい含有量の下限値は、１％であり、２％であり、３％であり、５％であり、７％であり、１０％であり、１４％であり、１６％であり、２０％である。本発明の組成物の総量に対しての式（Ｌ−７）で表される化合物の好ましい含有量の上限値は、３０％であり、２５％であり、２３％であり、２０％であり、１８％であり、１５％であり、１０％であり、５％である。【０３０３】
本発明の組成物が高いＴｎｉの実施形態が望まれる場合は一般式（Ｌ−７）で表される化合物の含有量を多めにすることが好ましく、低粘度の実施形態が望まれる場合は含有量を少なめにすることが好ましい。【０３０４】
さらに、一般式（Ｌ−７）で表される化合物は、式（Ｌ−７．１）から式（Ｌ−７．４）で表される化合物であることが好ましく、式（Ｌ−７．２）で表される化合物であることが好ましい。【０３０５】
【化５７】
2017221724.tif 000058
【０３０６】
さらに、一般式（Ｌ−７）で表される化合物は、式（Ｌ−７．１１）から式（Ｌ−７．１３）で表される化合物であることが好ましく、式（Ｌ−７．１１）で表される化合物であることが好ましい。【０３０７】
【化５８】
2017221724.tif 000059
【０３０８】
さらに、一般式（Ｌ−７）で表される化合物は、式（Ｌ−７．２１）から式（Ｌ−７．２３）で表される化合物である。式（Ｌ−７．２１）で表される化合物であることが好ましい。【０３０９】
【化５９】
2017221724.tif 000060
【０３１０】
さらに、一般式（Ｌ−７）で表される化合物は、式（Ｌ−７．３１）から式（Ｌ−７．３４）で表される化合物であることが好ましく、式（Ｌ−７．３１）又は／及び式（Ｌ−７．３２）で表される化合物であることが好ましい。【０３１１】
【化６０】
2017221724.tif 000061
【０３１２】
さらに、一般式（Ｌ−７）で表される化合物は、式（Ｌ−７．４１）から式（Ｌ−７．４４）で表される化合物であることが好ましく、式（Ｌ−７．４１）又は／及び式（Ｌ−７．４２）で表される化合物であることが好ましい。【０３１３】
【化６１】
2017221724.tif 000062
【０３１４】
本発明に係る液晶組成物の好適な形態は、液晶組成物全体（１００質量％）のうち一般式（ｉ）で表される化合物と一般式（Ｌ）で表される化合物の総量の下限値は、８４質量％、８５質量％、８６質量％、８７質量％、８８質量％、８９質量％、９０質量％、９１質量％、９２質量％、９３質量％、９４質量％以下、９５質量％、９６質量％、９７質量％、９８質量％、９９質量％、１００質量％であることが好ましい。液晶組成物全体（１００質量％）のうち一般式（ｉ）で表される化合物と一般式（Ｌ）で表される化合物の総量の上限値は、１００質量％、９９質量％、９８質量％、９７質量％、９６質量％、９５質量％、９４質量％、９３質量％、９２質量％、９１質量％以下、９０質量％であることが好ましい。【０３１５】
本発明に係る液晶組成物の好適な態様は、液晶組成物全体（１００質量％）のうち誘電率異方性（Δε）が負（−１．５＞Δε）の成分の含有量の上限値が、９５質量％、９４質量％、９３質量％、９２質量％、９１質量％以下、９０質量％、８９質量％、８８質量％、８７質量％、８６質量％、８５質量％、８４質量％、８３質量％、８２質量％、８１質量％、８０質量％、７９質量％、７８質量％、７７質量％、７６質量％、７５質量％、７４質量％、７３質量％、７２質量％、７１質量％、７０質量％、６９質量％、６８質量％、６７質量％、６６質量％、６５質量％、６４質量％、６３質量％、６２質量％、６１質量％、６０質量％、５９質量％、５８質量％、５７質量％であることが好ましい。また、液晶組成物全体（１００質量％）のうち誘電率異方性（Δε）が負（−２＞Δε）の成分の含有量の下限値が、１０質量％、１２質量％、１４質量％、１６質量％、１８質量％、２０質量％、２１質量％、２２質量％以下、２３質量％、２４質量％、２５質量％、２６質量％、２７質量％、２８質量％、２９質量％、３０質量％、３１質量％、３２質量％、３３質量％、３４質量％、３５質量％、３６質量％、３７質量％、３８質量％、３９質量％、４０質量％、４１質量％、４２質量％、４３質量％、４４質量％、４７質量％、４８質量％、４９質量％、５０質量％、５１質量％、５２質量％であることが好ましい。【０３１６】
組成物内の誘電率異方性（Δε）が負（−１．５＞Δε）の成分の含有量が多くなりすぎると、フリッカーが生じやすくなる。そのため、上記観点から本発明に係る液晶組成物の好適な態様は、液晶組成物全体（１００質量％）のうち誘電率異方性（Δε）が負（−１．５＞Δε）の成分の含有量の上限値は、９５質量％以下が好ましく、８６質量％以下がより好ましい。【０３１７】
本発明に係る液晶組成物の好適な態様は、液晶組成物全体（１００質量％）のうち誘電率異方性が中性（（−１．５≦Δε≦１．５））の成分の含有量の上限値が、９０質量％、８８質量％、８６質量％、８４質量％、８２質量％、８０質量％、７８質量％、７６質量％、７４質量％、７２質量％、７０質量％、６８質量％、６６質量％、６３質量％、６０質量％、５８質量％、５５質量％、５２質量％、５０質量％、４７質量％、４５質量％、４３質量％、４０質量％、３８質量％、３６質量％、３６質量％、３４質量％、３２質量％、３０質量％、２８質量％、２６質量％であることが好ましい。また、液晶組成物全体（１００質量％）のうち誘電率異方性が中性（（−１．５≦Δε≦１．５））の成分の含有量の下限値が、７質量％、８質量％、９質量％、１０質量％、１１質量％、１２質量％、１３質量％、１４質量％、１５質量％、１６質量％、１７質量％、１８質量％、１９質量％、２０質量％、２１質量％、２２質量％以下、２３質量％、２４質量％、２５質量％、２６質量％、２７質量％、２８質量％、２９質量％、３０質量％、３１質量％、３２質量％、３３質量％、３４質量％、３５質量％、３６質量％、３７質量％、３８質量％、３９質量％、４０質量％、４１質量％、４２質量％、４３質量％、４４質量％、４７質量％、４８質量％、５０質量％であることが好ましい。【０３１８】
本発明に係る液晶組成物の好適な態様は、負（−１．５＞Δε）の誘電率異方性を示す成分は、一般式（Ｎ−１ａ）〜（Ｎ−１ｅ）で表される化合物からなる群から選択される化合物で構成されることが好ましく、一般式（Ｎ−１ａ）〜（Ｎ−１ｃ）で表される化合物からなる群から選択される化合物で構成されることが特に好ましい。【０３１９】
一般式（Ｎ−１ａ）〜（Ｎ−１ｃ）で表される化合物により負（−１．５＞Δε）の誘電率異方性を示す成分を構成すると、比較的誘電率異方性を低く抑えることができるだけでなく、フレクソ分極によるフリッカーの発生も低減することができる。【０３２０】
本発明に係る液晶組成物の好適な態様は、負（−１．５＞Δε）の誘電率異方性を示す成分のうち、一般式（Ｎ−１ａ）で表される化合物と、一般式（Ｎ−１ｂ）で表される化合物と、一般式（Ｎ−１ｃ）で表される化合物との合計総量が、一般式（Ｎ−１ｄ）で表される化合物と、一般式（Ｎ−１ｅ）で表される化合物との合計総量より多いことが好ましい。環同士が直接連結した直環型の負（−１．５＞Δε）の誘電率異方性を示す化合物（例えば、一般式（Ｎ−１ａ）〜一般式（Ｎ−１ｃ））の量が、環同士が連結基を介して連結した連結基を含む負（−２＞Δε）の誘電率異方性を示す化合物より多いと比較的誘電率異方性を低く抑えることができるだけでなく、フレクソ分極によるフリッカーの発生も低減することができる。【０３２１】
本発明に係る液晶組成物の好適な形態は、液晶組成物全体（１００質量％）のうち、一般式（Ｎ−１ａ）で表される化合物と、一般式（Ｎ−１ｂ）で表される化合物と、一般式（Ｎ−１ｃ）で表される化合物と、一般式（Ｎ−１ｄ）で表される化合物と、一般式（Ｎ−１ｅ）で表される化合物と、一般式（Ｌ）で表される化合物との総量（合計量）の下限値は、８５質量％、８６質量％、８７質量％、８８質量％、８９質量％、９０質量％、９１質量％、９２質量％、９３質量％、９４質量％以下、９５質量％、９６質量％、９７質量％、９８質量％、９９質量％、１００質量％であることが好ましい。また、液晶組成物全体（１００質量％）のうち、一般式（Ｎ−１ａ）で表される化合物と、一般式（Ｎ−１ｂ）で表される化合物と、一般式（Ｎ−１ｃ）で表される化合物と、一般式（Ｎ−１ｄ）で表される化合物と、一般式（Ｎ−１ｅ）で表される化合物と、一般式（Ｌ）で表される化合物との総量（合計量）は、１００質量％、９９質量％、９８質量％、９７質量％、９６質量％、９５質量％、９４質量％、９３質量％、９２質量％、９１質量％以下であることが好ましい。【０３２２】
本発明の液晶組成物は、２５℃における誘電率異方性（Δε）が−１．０〜−７．０が適正な使用範囲内であるが、駆動電圧およびフリッカーを低減の観点から−１．０以上−６．０未満が好ましく、−２．０以上−６．０未満がより好ましく、−２．５から−５．５が特に好ましい。誘電率異方性が大きい液晶組成物は、フレクソ分極の観点から比較的フリッカーを低減し難い。そのため、本発明に係る好ましい液晶組成物は、２５℃における誘電率異方性（Δε）が−１．０〜−７．０であることが好ましく、−２．０以上−６．０未満がより好ましい。【０３２３】
本発明の液晶組成物は、２５℃における屈折率異方性（Δｎ）が０．０８から０．１４であるが、０．０９から０．１３がより好ましく、０．０９から０．１２８が特に好ましい。更に詳述すると、薄いセルギャップに対応する場合は０．１０から０．１３であることが好ましく、厚いセルギャップに対応する場合は０．０８から０．１０であることが好ましい。【０３２４】
本発明の液晶組成物は、２０℃における粘度（η）が１０から５０ｍＰａ・ｓであるが、１０から４５ｍＰａ・ｓであることが好ましく、１０から４０ｍＰａ・ｓであることが好ましく、１０から３５ｍＰａ・ｓであることが好ましく、１０から３０ｍＰａ・ｓであることが好ましく、１０から２５ｍＰａ・ｓであることが更に好ましく、１０から２２ｍＰａ・ｓであることが特に好ましい。【０３２５】
本発明の液晶組成物は、２５℃における回転粘性（γ１）が５０から２５０ｍＰａ・ｓであるが、５５から１７０ｍＰａ・ｓであることが好ましく、６０から１６０ｍＰａ・ｓであることが好ましく、６０から１５０ｍＰａ・ｓであることが好ましい。【０３２６】
本発明の液晶組成物は、ネマチック相−等方性液体相転移温度（Ｔｎｉ）が６０℃から１２０℃であるが、７０℃から１００℃がより好ましく、７０℃から８５℃がさらに好ましく、７０℃から８４．８℃が特に好ましい。【０３２７】
実際の液晶表示素子に使用されている負の液晶組成物は、誘電率異方性が負の化合物（ポーラー成分）と、誘電率異方性が中性の化合物（ノンポーラ成分）との２つの成分が混在し、かつ液晶組成物全体として数種類から数十種類の液晶化合物が含まれている。そのため、フレクソエレクトリック効果（フレクソ分極）に直接的に関与するのは、主にポーラー成分の液晶化合物の分極であるため、本発明の駆動方法のように１フレーム毎に正負極性を反転させる駆動で反応した分極の位置変化による輝度変動もポーラー成分の液晶化合物の分極やその含有量に依存する。【０３２８】
本発明の液晶表示素子は、上述したように、反転駆動を１フレーム毎に行っているため、分極の位置変化による輝度変動の項もさらに加味すると、非常に輝度変動が大きくなりフリッカーが生じ、表示品位が低下する。【０３２９】
しかしながら、本発明では、特定の誘電率異方性が負の液晶化合物を組合わせ、かつそれらの含有量を規定することで化合物特有の分極の位置変化を液晶組成物（液晶層）全体として均一化することができるため、フリッカーを低減・抑制することができると考えられる。【０３３０】
本発明の液晶組成物の形態は、ポーラー成分の液晶化合物（負の誘電率異方性を示す液晶化合物）が、一般式（Ｎ−１−１）〜（Ｎ−１−５）で表される化合物、一般式（Ｎ−１−１０）〜一般式（Ｎ−１−１３）で表される化合物で表される化合物からなる群から選択される１種または２種以上で構成され、かつこれらの化合物が負（−１．５＞Δε）の誘電率異方性を示す成分（１００質量％）のうち８０質量％以上１００質量％以下を占めることが好ましい。【０３３１】
本発明に係る液晶組成物の好適な形態は、ポーラー成分の液晶化合物（負の誘電率異方性を示す液晶化合物）が、一般式（Ｎ−１−１）〜（Ｎ−１−５）で表される化合物、一般式（Ｎ−１−１０）〜一般式（Ｎ−１−１３）で表される化合物で表される化合物からなる群から選択される１種または２種以上で構成され、かつこれらの化合物が負（−１．５＞Δε）の誘電率異方性を示す成分（１００質量％）のうち８０質量％以上１００質量％以下を占め、かつ一般式（Ｎ−１−１）〜（Ｎ−１−５）で表される化合物の合計含有量が、一般式（Ｎ−１−１０）〜一般式（Ｎ−１−１３）で表される化合物で表される化合物の合計含有量より多いことがより好ましい。【０３３２】
続いて、以下本発明の好適な液晶表示素子の表示処理部の動作および作用に関して以下説明する。【０３３３】
本発明に係る表示処理部は、通常駆動の他に駆動電力低減のために低周波駆動の機能と間欠駆動の機能とを備えており、ＴＦＴ液晶パネルのゲートバスラインを駆動するためのＬＳＩであるゲートドライバおよびＴＦＴ液晶パネルのソースバスラインを駆動するためのＬＳＩであるソースドライバを制御する機能を備える。また、共通電極に共通電圧ＶＣＯＭを供給し、バックライトの動作を制御する機能を備えてもよい。【０３３４】
なお、本明細書の「低周波駆動」とは、液晶表示素子の駆動周波数を標準値（（例えば、６０Ｈｚ、１２０Ｈｚまたは２４０Ｈｚ）自体を、１／２、１／４、１／６、１／１０または１／６０などに低下させる駆動（表示処理部で行う）ことをいい、「間欠駆動」とは、液晶表示素子の駆動周波数を標準値（例えば、６０Ｈｚ、１２０Ｈｚまたは２４０Ｈｚ）自体は変えることなく、液晶表示素子の１表示期間の書き込みを行った後、制御回路を停止する期間（休止期間）を設けることをいう（休止期間により、画素電極への画像信号を書き換える周期が長くなるため、見かけのフレーム周波数が低下する。）。【０３３５】
本発明では、表示処理部により画素電極への画像信号のフレーム周波数を０Ｈｚ超５９Ｈｚ以下の範囲に制御することができるため、表示するコンテンツに適宜連動して、通常駆動の状態（例えば、フレーム周波数が６０Ｈｚ、１２０Ｈｚまたは２４０Ｈｚ）と（フレーム周波数が０Ｈｚ超５９Ｈｚ以下の状態（低周波駆動または間欠駆動）とを可逆的に切り替えすることができる。【０３３６】
また、本発明に係る表示処理部において、上記で説明した液晶表示部の駆動を行っており、画素電極への画像信号のフレーム周波数を５９Ｈｚ以下０Ｈｚ超の範囲内に任意で制御できるため、換言すると、前記画素電極への画像信号を書き換える周期（＝書き換え周期）を延縮自在に制御することができる。すなわち、画素電極に画像信号（電圧）を印加した時から、次に当該画素電極に画像信号（電圧）を印加する時までの時間を当該表示処理部により延縮自在に制御することができる。そのため、単位秒あたり一画面を走査する（書き換える）回数であるフレーム周波数が表示処理部により延縮自在に制御されうる。【０３３７】
画素電極に画像信号（電圧）を印加した時から、次に当該画素電極に画像信号（電圧）を印加する時までの時間を当該表示処理部により延縮自在に制御することで、画素電極の画像信号の書き換えを行う時間間隔であるフレーム周期を、所定の時間内に適宜制御する。そのため、本発明に係る表示処理部は、異なるフレーム周波数を２つ以上備えて制御できることが好ましく、前記異なるフレーム周波数の２つ以上の中の少なくとも一つは、５９Ｈｚ以下〜０Ｈｚ超である。【０３３８】
本発明に係る低周波駆動または間欠駆動状態におけるフレーム周波数は、０超〜５９Ｈｚであり、０．１Ｈｚ〜５９Ｈｚが好ましく、０．２Ｈｚ〜５８Ｈｚが好ましく、０．３Ｈｚ〜５７Ｈｚが好ましく、０．４Ｈｚ〜５６Ｈｚが好ましく、０．５Ｈｚ〜５５Ｈｚが好ましい。【０３３９】
例えば、静止画を表示する場合は０．１〜３０Ｈｚ未満であることが好ましく、動画を表示する場合は３０以上５９Ｈｚ未満であることが好ましい。【０３４０】
また、前者の静止画を表示する場合のフレーム周波数の下限値は、０．１Ｈｚ、０．２Ｈｚ、０．５Ｈｚ、０．７Ｈｚ、０．９Ｈｚ、１．０Ｈｚの順に好ましい。前者の静止画を表示する場合のフレーム周波数の上限値は、２９．５Ｈｚ、２８．０Ｈｚ、２５．０Ｈｚ、２３．０Ｈｚ、２０．０Ｈｚ、１８．０Ｈｚ、１６．０Ｈｚ、１４．０Ｈｚ、１３．０Ｈｚ、１２．０Ｈｚ、１１．０Ｈｚ、１０Ｈｚの順に好ましい。【０３４１】
一方、動画を表示する場合のフレーム周波数の下限値は、３０Ｈｚ、３０．２Ｈｚ、３０．５Ｈｚ、３１．０Ｈｚの順に好ましい。後者の動画を表示する場合のフレーム周波数の上限値は、５９．０Ｈｚ、５８．０Ｈｚ、５７．０Ｈｚ、５６．０Ｈｚ、５３．０Ｈｚ、５２．０Ｈｚ、５１．０Ｈｚ、５０．０Ｈｚ、４８．０Ｈｚ、４７．０Ｈｚ、４６．０Ｈｚ、４５．０Ｈｚ、４３．０Ｈｚ、４２．０Ｈｚ、４０．０Ｈｚの順に好ましい。【０３４２】
低周波駆動または間欠駆動状態において動画を表示する場合のフレーム周波数は、３０〜４０Ｈｚに制御することが特に好ましい。また低周波駆動または間欠駆動状態において静止画を表示する場合のフレーム周波数は、１〜１０Ｈｚに制御することが特に好ましい。【０３４３】
上述したように、本願発明の表示処理部は、画素電極への画像信号を書き換える周期（＝書き換え周期）を延縮自在に制御することができ、かつ画素電極への画像信号のフレーム周波数を５９Ｈｚ以下０Ｈｚ超の範囲に制御することができる。画素電極への画像信号を書き換を行う周期を長くする態様（＝画像信号のフレーム周波数を長くする）としては、第１のフレーム周波数で駆動する第１の駆動モードから前記第１のフレーム周波数より低い第２のフレーム周波数で駆動する第３の駆動モードが挙げられる。より詳細には、例えば、第１のフレーム周波数で駆動する第１の駆動モード（例えば、第１のフレーム周波数が６０、１２０または２４０Ｈｚ超の通常駆動）から、フレーム周波数が０超〜５９Ｈｚの範囲に制御される低周波駆動（第３の駆動モード）へ表示処理部で切り替えする例が挙げられる。画像信号を書き換を行う周期を長くする他の態様としては、例えば、第１のフレーム周波数で駆動する第１の駆動モード（例えば、第１のフレーム周波数が６０、１２０または２４０Ｈｚ超の通常駆動）から、１フレーム超に相当する休止期間を設ける間欠駆動（第２の駆動モード）フレーム周波数が０超〜５９Ｈｚ）へ切り替えする例が挙げられる。【０３４４】
次に、画像信号の書き換え周期を短くする態様（＝画像信号のフレーム周波数を短くする）としては、上記第２または第３の駆動モードである低周波駆動または間欠駆動から上記の通常駆動へ切り替えする例が挙げられる。【０３４５】
これらの態様により、本願発明の表示処理部は、画素電極への画像信号のフレーム周波数を５９Ｈｚ以下０Ｈｚ超の範囲に制御することで、フレーム周波数が異なる２つ以上の駆動モードに可逆的に切り替えすることができる。【０３４６】
本発明の液晶表示素子の駆動方法は、上記の駆動モード（第１〜第３の駆動モード）を組み合わせることで消費電力を低減することができるだけでなく、さらに本発明では特定の液晶組成物を使用していることから、低周波駆動や間欠駆動への切り替えの際のフリッカーを低減することができる。【０３４７】
以下、本発明の画素の駆動方法について詳細に説明する。【０３４８】
「第１の駆動モードと第２の駆動モードとの切り替え」
（通常駆動と間欠駆動との切り替え）
通常駆動（第１の駆動モード）の画素電極への画像信号のフレーム周波数が、例えば６０Ｈｚの場合は、全画面を（１／６０）秒かけて走査するため、画素電極への画像信号の書き換えは０．０１６７秒ごとに１回行っている（画像信号の書き換え周期は１／６０）。この１／６０秒をかけた書き換え動作の後、例えば、２フレーム、１０フレームまたは１００フレーム相当のドライバまたは表示処理部が動作しない休止期間を設けて、画素電極への画像信号の書き換えを再開すると、最後に画素電極への画像信号の書き換えたときから画素電極への画像信号の書き換えを再開するまでの間の画素電極への画像信号の書き換え期間（第２の駆動モード）の周期は、１／６０秒より長くなる。【０３４９】
ドライバまたは表示処理部が動作しない休止期間の間は、制御回路などの動作が停止するため、その間の回路消費電力が無くなり消費電力を低減することができる。【０３５０】
したがって、ドライバまたは表示処理部が動作しない休止期間を設けることで、画素電極への画像信号の書き換えタイミングを表示処理部がコントロールして、画像信号の書き換え周期を変えることができる。換言すると、表示処理部において画素電極への画像信号のフレーム周波数を５９Ｈｚ以下０Ｈｚ超の範囲に制御し、かつ前記画像信号の書き換え周期を延縮自在にすることで、消費電力を低減することができる。【０３５１】
本発明に係る液晶表示素子の駆動方法の一例を、図１１を参照して以下説明する。
図１１（Ａ）は、２ｍ行２ｎ列の画素電極における画像信号の書き換えの経時的変化を表す図である。また、図１１（Ｂ）は、２ｍ＋１行２ｎ＋１列の画素電極における画像信号の書き換えの経時的変化を表す図である。さらに、図１１の例を、第１の駆動モード（通常駆動）の画素電極への画像信号のフレーム周波数を６０Ｈｚとした場合について説明する。【０３５２】
液晶表示素子の標準的なフレーム周波数が６０Ｈｚにおいて、１フレーム（１／６０秒）ごとに液晶に印加する電圧の極性が反転する。図１１では、極性判定方法として、カラム反転駆動の一例を示すが、本発明はこれに限定されることはない。例えば、ドット反転駆動の場合は、図１１（Ａ）を、２ｍ行２ｎ列の画素電極および２ｍ＋１行２ｎ＋１列の画素電極における画像信号の書き換えの経時的変化を表す図とし、図１１（Ｂ）を、２ｍ行２ｎ＋１列の画素電極における画像信号の書き換えの経時的変化を表す図とすれば足りうる。【０３５３】
図１１（Ａ）において、第１の駆動モード（通常駆動）のフレーム周波数が６０Ｈｚであると、全画面を（１／６０）秒かけて走査するため、画素への画像信号の書き換えは１／６０秒ごとに１回行っており（画像信号の書き換え周期  １／６０）、列方向（２ｎ）に並んだ画素電極へ印加する画像信号が各フレームで同じ極性の１フレーム毎に反転するよう、ゲートドライバおよびソースドライバの動作を表示処理部が制御する。またカラム反転駆動の一例を示すため、図１１（Ｂ）は、図１１（Ａ）とは逆極性の電圧が印加された状態を示すものであり、図１１（Ａ）と同様に画素電極への画像信号の書き換えは１／６０秒ごとに１回行っており（画像信号の書き換え周期  １／６０）、列方向（２ｎ＋１）に並んだ画素電極へ印加する画像信号が各フレームで同じ極性の１フレーム毎に反転するよう、ゲートドライバおよびソースドライバの動作を表示処理部が制御する。【０３５４】
図１１（Ａ）、（Ｂ）において、１／６０秒をかけた書き換え動作の後、表示処理部、ソースドライバまたはゲートドライバの書き換え動作が停止する所定時間の休止期間が設けられた第２の駆動モード（間欠駆動状態）に切り替えると、休止期間中の回路消費電力が０になるため、回路電力を低減することができる。その後、前記休止期間を終了させて通常駆動（第１の駆動モード）に切り替えると、画素電極への画像信号の書き換え動作が実行されるため、休止期間より前に画素への画像信号の書き換えた後次の書き換える時までの間（すなわち第１の駆動モードの画像信号の書き換え周期）と、休止期間直前に画素への画像信号の書き換えた時から休止期間の終了後に画素への画像信号の書き換えた時までの間（すなわち第２の駆動モードの画像信号の書き換え周期）と、は異なる（第２の駆動モードの画素電極への画像信号の書き換え周期は、第１の駆動モードの画素電極への画像信号の書き換え期間より長くなる。）。【０３５５】
なお、画素電極には休止期間直前に書き込まれた画像信号（電圧信号）は次の画像信号（電圧信号）が書き込まれるまでこの画像信号は保持されている。【０３５６】
図１１では、液晶表示素子に表示されるコンテンツと連動し、動画を表示した（第１の駆動モード）後、静止画を表示し（第２の駆動モードに切り替え）、再度動画を表示する（第１の駆動モードに切り替え）といった表示態様が挙げられる。【０３５７】
「第１の駆動モードと第３の駆動モードとの切り替え」
（通常駆動と低周波駆動との切り替え）
通常駆動（第１の駆動モード）の画素電極への画像信号のフレーム周波数が、例えば６０Ｈｚの場合は、全画面を（１／６０）秒かけて走査するため、画素電極への画像信号の書き換えは０．０１６７秒ごとに１回行っている（画像信号の書き換え周期）（同様に、１２０Ｈｚの場合は、全画面を（１／１２０）秒かけて走査、２４０Ｈｚの場合は、全画面を（１／２４０）秒かけて走査）。この状態から、第１の駆動モードより低いフレーム周波数で画素への画像信号の書き換えを行う第３の駆動モードへ切り替えた場合、すなわち、例えば、画像信号のフレーム周波数が１Ｈｚの低周波駆動状態へ切り替えると、全画面を（１／１）秒かけて走査するため、画素への画像信号の書き換えは１秒ごとに１回行う（画像信号の書き換え周期は１／１）ため、回路の消費電力を低減することができる。また、低周波駆動状態（第３の駆動モード）から通常駆動（第１の駆動モード）へ切り替えると、前述の画素への画像信号の書き換えは０．０１６７秒ごとに１回行う状態に戻る。【０３５８】
したがって、画素電極への画像信号のフレーム周波数自体を表示処理部で変えることで、画像信号の書き換え周期を変えることができる。換言すると、表示処理部において画素電極への画像信号のフレーム周波数を０Ｈｚ超５９Ｈｚ以下の範囲に制御し、画像信号の波長を伸ばしたり縮めたりする切り替えができることで、前記画像信号の書き換え周期を延縮自在にする。【０３５９】
例えば、図１２を参照して本発明に係る好ましい駆動方法の一例を説明する。図１２（Ａ）は、２ｍ行２ｎ列の画素電極における画像信号の書き換えの経時的変化を表す図である。また、図１２（Ｂ）は、２ｍ＋１行２ｎ＋１列の画素電極における画像信号の書き換えの経時的変化を表す図である。【０３６０】
また、図１２の例を、第１の駆動モード（通常駆動）の画素電極への画像信号のフレーム周波数を６０Ｈｚ、第３の駆動モード（低周波駆動）の画素電極への画像信号のフレーム周波数を６Ｈｚとした場合について説明する。さらに、液晶表示素子の標準的なフレーム周波数が６０Ｈｚにおいて、１フレーム（１／６０秒）ごとに、液晶に印加する電圧の極性が反転するため、図１２では、カラム反転駆動の一例を示すが、本発明はこれに限定されることはない。例えば、ドット反転駆動の場合は、図１２（Ａ）を、２ｍ行２ｎ列の画素電極および２ｍ＋１行２ｎ＋１列の画素電極における画像信号の書き換えの経時的変化を表す図とし、図１２（Ｂ）を、２ｍ行２ｎ＋１列の画素電極における画像信号の書き換えの経時的変化を表す図とすれば足りうる。【０３６１】
図１２（Ａ）において、第１の駆動モード（通常駆動）のフレーム周波数が６０Ｈｚであると、全画面を（１／６０）秒かけて走査するため、画素への画像信号の書き換えは１／６０秒ごとに１回行っており（画像信号の書き換え周期）、列方向（２ｎ）に並んだ画素電極へ印加する画像信号が各フレームで同じ極性の１フレーム毎に反転するよう、ゲートドライバおよびソースドライバの動作を表示処理部が制御する。【０３６２】
印加する極性を反転しながら画素電極への画像信号の書き換えを１／６０秒ごとに１回行う第１の駆動モード（通常駆動）から、前記第１のフレーム周波数より低い第３のフレーム周波数（例えば、６Ｈｚ）で駆動する第３の駆動モード（低周波状態）に切り替えると、全画面を（１／６）秒かけて走査するため、印加する極性は（１／６）ごとに反転され、画素電極への画像信号の書き換えは（１／６）秒ごとに１回行う。【０３６３】
そのため、第３の駆動モードにおける画像信号の書き換え周期が、第１の駆動モードにおける画像信号の書き換え周期より長くなる。これにより、画像信号の書き換え回数が低減するため消費電力を低減することができる。【０３６４】
例えば、静止画像を表示する場合や動画であっても視認性が乏しい画像などを表示する場合は、表示処理部が低周波駆動または間欠駆動を実行することで消費電力を低減することができる。【０３６５】
図１２では、液晶表示素子に表示されるコンテンツと連動し、動画を表示した（第１の駆動モード）後、動きの遅い動画を表示し（第３の駆動モードに切り替え）、再度動きの速い動画を表示する（第１の駆動モードに切り替え）といった表示態様が挙げられる。【０３６６】
本発明に係る好ましい駆動方法の他の一例として、図１３を参照して説明する。図１３（Ａ）は、２ｍ行２ｎ列の画素電極における画像信号の書き換えの経時的変化を表す図である。また、図１３（Ｂ）は、２ｍ＋１行２ｎ＋１列の画素電極における画像信号の書き換えの経時的変化を表す図であり、極性反転やフレーム周波数は上記の図７および８と同じである。【０３６７】
図１３（Ａ）、（Ｂ）において、印加する極性を反転しながら画素電極への画像信号の書き換えを１／６０秒ごとに１回行う第１の駆動モード（通常駆動）から、前記第１のフレーム周波数より低い第３のフレーム周波数（例えば、６Ｈｚ）で駆動する第３の駆動モード（低周波状態）に切り替えると、全画面を（１／６）秒かけて走査するため、印加する極性は（１／６）ごとに反転され、画素電極への画像信号の書き換えは（１／６）秒ごとに１回行う。その後、書き換え動作の後、表示処理部、ソースドライバまたはゲートドライバの書き換え動作が停止する所定時間の休止期間が設けられた第２の駆動モード（間欠駆動状態）に切り替えると、休止期間中の回路消費電力が０になるため、回路電力を低減することができる。さらにその後、前記休止期間を終了させて低周波状態（第３の駆動モード）に切り替えると、画素電極への画像信号の書き換え動作が実行されるため、休止期間より前に画素への画像信号の書き換えた後次の書き換える時までの間（すなわち第３の駆動モードの画像信号の書き換え周期）と、休止期間直前に画素への画像信号の書き換えた時から休止期間の終了後に画素への画像信号の書き換えた時までの間（すなわち第２の駆動モードの画像信号の書き換え周期）と、が相違する。そしてさらにその後、低周波駆動状態（第３の駆動モード）から通常駆動（第１の駆動モード）へ切り替えると、前述の画素への画像信号の書き換えは１／６０回行う状態に戻る。【０３６８】
なお、画素電極には休止期間直前に書き込まれた画像信号（電圧信号）は次の画像信号（電圧信号）が書き込まれるまでこの画像信号は保持されている。【０３６９】
図１３など実施形態のように低周波駆動と間欠駆動とを組み合わせることでさらなる消費電力を低減することができる。【０３７０】
図１３では、液晶表示素子に表示されるコンテンツと連動し、動きの速い動画を表示した（第１の駆動モード）後、動きの遅い動画を表示し（第３の駆動モードに切り替え）、静止画を表示し（第２の駆動モードに切り替え）、再度動きの速い動画を表示する（第１の駆動モードに切り替え）といった表示態様が挙げられる。【０３７１】
本発明は、ＶＡ、ＰＳＶＡ、ＦＦＳおよび／またはＩＰＳ等の液晶表示部を備えている液晶表示素子に適用できる。電圧保持率の低下に起因するフリッカーを低減する方法は、ＶＡ、ＰＳＶＡ、ＦＦＳおよび／またはＩＰＳ等のアクティブ駆動、特に低周波駆動において望まれている。さらにＦＦＳやＩＰＳの駆動形式は、通称のＶＡモードに比較し、電圧印加時に液晶へ強電場がかかるため、フレクソ分極が起こりやすく、フリッカーが発生しやすい。そのため、ＦＦＳやＩＰＳの駆動形式は、ＶＡやＰＳＶＡモードに比較し、電圧保持率の低下に起因するフリッカーのみならず、フレクソ分極に起因するフリッカーも低減する方法が望まれている。【０３７２】
したがって、本発明の液晶表示部の好ましい態様は、液晶層と、第１の基板と第２の基板のそれぞれの間にホモジニアス配向を誘起する配向膜層を有し、前記第１の基板上に共通電極が配置されるものである。【０３７３】
特に、ＦＦＳ型の表示素子は、電極のエッジ部分近傍でフリンジ電界を発生するため、本発明の液晶表示部の特に好ましい態様は、画素電極と共通電極との間の電極間距離：Ｒが前記第１の基板と第２の基板との距離：Ｇより小さく、前記画素電極と共通電極との電極間にフリンジ電界を形成するものである。
【実施例】
【０３７４】
以下に実施例を挙げて本発明を更に詳述するが、本発明はこれらの実施例に限定されるものではない。また、以下の実施例及び比較例の組成物における「％」は『質量％』を意味する。【０３７５】
実施例において化合物の記載について以下の略号を用いる。
（側鎖）
−ｎ        −ＣｎＨ２ｎ＋１  炭素数ｎの直鎖状のアルキル基
ｎ−        ＣｎＨ２ｎ＋１−  炭素数ｎの直鎖状のアルキル基
−Ｏｎ      −ＯＣｎＨ２ｎ＋１  炭素数ｎの直鎖状のアルコキシル基
ｎＯ−      ＣｎＨ２ｎ＋１Ｏ−  炭素数ｎの直鎖状のアルコキシル基
−ｎＯ−    −ＣｎＨ２ｎＯ−
−Ｏｎ−    −ＯＣｎＨ２ｎ−
−ｎ−      −ＣｎＨ２ｎ−
−Ｖ        −ＣＨ＝ＣＨ２
Ｖ−        ＣＨ２＝ＣＨ−
−Ｖ１      −ＣＨ＝ＣＨ−ＣＨ３
１Ｖ−      ＣＨ３−ＣＨ＝ＣＨ−
（環構造）【０３７６】
【化６２】
2017221724.tif 000063
【０３７７】
実施例中、測定した特性は以下の通りである。【０３７８】
Ｔｎｉ  ：ネマチック相−等方性液体相転移温度（℃）
Δｎ  ：２５℃における屈折率異方性
η    ：２０℃における粘度（ｍＰａ・ｓ）
γ１  ：２５℃における回転粘性（ｍＰａ・ｓ）
Δε  ：２５℃における誘電率異方性
実施例１〜１５の液晶組成物および比較例１〜４の液晶組成物（表１、３、５および７）それぞれＦＦＳセルへ注入し、ＦＦＳ素子を得た。各液晶素子へ、白色ＬＥＤを使用したバックライト（光度：２５０００ｃｄ）を、１０００時間照射した後、フレーム周波数１（ＨＺ）で駆動を行い、以下のちらつき評価基準により評価した（表２、４および６のＢＬ照射後の表示のちらつき）。【０３７９】
各種のＮＤフィルターを通したパネルで目視により評価した。評価基準は、◎、〇、△、×の４段階で評価した。◎が最もちらつきが良好である。以下に、実施例１〜１５の液晶組成物および比較例１〜４の液晶組成物の組成表と物性値およびそのちらつき評価結果を以下の表２、４および６に示す。
◎：ＮＤ１００フィルターを介して観察したパネルにおいてフリッカー（ちらつき）が目視で確認できない。
〇：ＮＤ５０フィルターを介して観察したパネルにおいてフリッカー（ちらつき）が目視で確認できない。
△：ＮＤ３０フィルターを介して観察したパネルにおいてフリッカー（ちらつき）が目視で確認できない。
×：ＮＤ１０フィルターを介して観察したパネルにおいてフリッカー（ちらつき）が目視で確認できない。【０３８０】
ここでＮＤフィルターとは、Ｎｅｕｔｒａｌ  Ｄｅｎｓｉｔｙフィルターの略称であり、発色を変えることなく光の透過率を可変させるフィルターのことを示している。ＮＤ１００とは、透過率１００％（つまりＮＤフィルターが無く、光を１００％透過する状態）を示しており、ＮＤ１０とは、透過率１０％を示している。透過率が小さなＮＤフィルターを介してフリッカーが目視できる状態は、光のちらつきが大きな状態を示していると言える。【０３８１】
また、ＶＨＲの評価は、東陽テクニカ製ＬＣＭ−２を用いて、１Ｖ、０．６Ｈｚ、２５℃の条件で、白色ＬＥＤを使用したバックライト（光度：２５０００ｃｄ）を、１０００時間照射する前および照射した後のそれぞれについて、実施例１〜１５の液晶組成物および比較例１〜４の液晶組成物の測定を行った。【０３８２】
【表１】
2017221724.tif 000064
【０３８３】
【表２】
2017221724.tif 000065
【０３８４】
【表３】
2017221724.tif 000066
【０３８５】
【表４】
2017221724.tif 000067
【０３８６】
【表５】
2017221724.tif 000068
【０３８７】
【表６】
2017221724.tif 000069
【０３８８】
【表７】
2017221724.tif 000070
【０３８９】
【表８】
2017221724.tif 000071
【０３９０】
上記の実施例１〜１５と比較例１〜４を対比すると、縮合環が含まれていない液晶組成物を用いた液晶表示素子では、表示のちらつきがＮＤ５０フィルターまたはＮＤ１００フィルターを介して確認できなかった。
【符号の説明】
【０３９１】
１，８    偏光板
２    第１の基板
３    電極層（第１の電極）
３’  共通電極（第２の電極）
４    配向膜
５    液晶層
６    カラーフィルタ
７    第２の基板
１１    ゲート電極
１２    ゲート絶縁膜
１３    半導体層
１４    絶縁層
１５    オーミック接触層
１６    ドレイン電極
１７    ソース電極
１８    絶縁保護層
１９ｂ  ソース電極
２１    画素電極
２２    共通電極
２３    ストレイジキャパシタ
２４    ドレイン電極
２５    ソースバスライン
２６    ゲートバスライン
２７    ソース電極
２８    ゲート電極
２９    共通ライン
【図１】
2017221724.tif 000074
【図２】
2017221724.tif 000075
【図３】
2017221724.tif 000076
【図４】
2017221724.tif 000077
【図５】
2017221724.tif 000078
【図６】
2017221724.tif 000079
【図７】
2017221724.tif 000080
【図８】
2017221724.tif 000081
【図９】
2017221724.tif 000082
【図１０】
2017221724.tif 000083
【図１１】
2017221724.tif 000084
【図１２】
2017221724.tif 000085
【図１３】
2017221724.tif 000086
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
第一の透明基板と、
前記第一の透明基板と対向配置された第二の透明基板と、
前記第一の透明基板と第二の透明基板との間に充填された液晶組成物を含有する液晶層と、
前記第一の透明基板上に配置される画素電極と、
前記画素電極への画像信号のフレーム周波数を０Ｈｚ超５９Ｈｚ以下の範囲に制御する表示処理部と、を有し
前記液晶組成物が、下記一般式（ｉ）：
【化１】
2017221724.tif 000087
（上記式中、Ｒｉ１およびＲｉ２はそれぞれ独立して、炭素原子数１〜１０のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
Ａｉ１およびＡｉ２はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
（ｃ）１，４−シクロヘキセニレン基
からなる群より選ばれる基を表し、上記の基（ａ）、基（ｂ）及び基（ｃ）はそれぞれ独立してシアノ基、フッ素原子又は塩素原子で置換されていても良く、
Ｚｉ１およびＺｉ２はそれぞれ独立して、単結合、−ＯＣＨ２−、−ＣＨ２Ｏ−、−ＣＨ２ＣＨ２−又は−ＣＦ２ＣＦ２−を表わし、
ｍｉ１およびｍｉ２はそれぞれ独立して、０〜３の整数を表すが、ｍｉ１＋ｍｉ２はそれぞれ独立して１、２又は３であり、Ａｉ１〜Ａｉ２、Ｚｉ１〜Ｚｉ２が複数存在する場合は、それらは同一であっても異なっていても良い。）で表される化合物群から選ばれる化合物の１種又は２種以上と、
下記一般式（Ｌ）：
【化２】
2017221724.tif 000088
（式中、ＲＬ１及びＲＬ２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ｎＬ１は０、１、２又は３を表し、
ＡＬ１、ＡＬ２及びＡＬ３はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ａ）および基（ｂ）はそれぞれ独立してシアノ基、フッ素原子又は塩素原子で置換されていても良く、
ＺＬ１及びＺＬ２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ｎＬ１が２又は３であってＡＬ２が複数存在する場合は、それらは同一であっても異なっていても良く、ｎＬ１が２又は３であってＺＬ３が複数存在する場合は、それらは同一であっても異なっていても良いが、一般式（ｉ）で表される化合物を除く。）
の１種又は２種以上とからなる液晶表示素子。
【請求項２】
第１のフレーム周波数で駆動する第１の駆動モードと、
間欠駆動による休止期間が設けられた第２の駆動モードと、を有し、前記第１の駆動モードと第２の駆動モードとを前記表示処理部で切り替える、請求項１に記載の液晶表示素子。
【請求項３】
第１のフレーム周波数で駆動する第１の駆動モードと、
前記第１のフレーム周波数より低い第２のフレーム周波数で駆動する第３の駆動モードと、を有し、前記第１の駆動モードと第３の駆動モードとを前記表示処理部で切り替える、請求項１に記載の液晶表示素子。
【請求項４】
前記液晶層と、前記第一の透明基板と前記第二の透明基板のそれぞれの間にホモジニアス配向を誘起する配向膜層を有し、各配向膜の配向方向は第一のまたは第二の透明基板に対して平行であり、前記第１の基板上に共通電極が配置されることを特徴とする、請求項１〜３のいずれか１項に記載の液晶表示素子。
【請求項５】
前記画素電極と共通電極との間の電極間距離：Ｒが前記第一の基板と第二の基板との距離：Ｇより小さく、前記画素電極と共通電極との電極間にフリンジ電界を形成することを特徴とする、請求項１〜４のいずれか１項に記載の液晶表示素子。
【国際調査報告】
2017221724.tif 000089
2017221724.tif 000090
2017221724.tif 000091
2017221724.tif 000092